(57)【要約】  ワイヤレス通信環境において優勢な干渉物をターゲットサービング基地局に示すことを可能にするシステムおよび方法が説明される。モバイルデバイスは、優勢な干渉物の存在または不在を検出することができる。さらに、優勢な干渉物の存在または不在に関係する情報を含むアクセスプローブが生成され得る。たとえば、その情報は、明示的フラグ、干渉レベルの明示的指示、チャネル品質インジケータ（ＣＱＩ）値（たとえば、予約された対予約されていない、…）などとして、アクセスプローブのペイロード中に含まれ得る。その上、アクセスプローブは、アクセス手順を開始するために、ターゲットサービング基地局に送信され得る。ターゲットサービング基地局は、アクセスプローブ中に含まれるその情報に応じて、応答するダウンリンク送信（たとえば、アクセス許可信号、後続のアクセス関係メッセージ、…）のために利用されるべき時間周波数リソースを選択することができる。
2011527878.tif 000002
【特許請求の範囲】
【請求項１】
優勢な干渉物がモバイルデバイスの近傍内に存在するかどうかを識別することと、
前記優勢な干渉物の存在に関係する情報を含むアクセスプローブを生成することと、
アクセス手順を開始するために前記アクセスプローブをターゲットサービング基地局に送信することと、
を備える方法。
【請求項２】
前記優勢な干渉物は、前記モバイルデバイスによって測定されたとして、しきい値を上回るダウンリンク干渉を引き起こす基地局である、請求項１に記載の方法。
【請求項３】
非サービング基地局から得られた第１の信号に対応する第１の受信ダウンリンク信号電力が、前記ターゲットサービング基地局から受信された第２の信号に対応する第２の受信ダウンリンク信号電力よりも強いことの検出で、前記優勢な干渉物の存在を識別することをさらに備える、請求項１に記載の方法。
【請求項４】
前記ターゲットサービング基地局から受信された信号が、最も高い受信ダウンリンク信号電力に関連付けられていることが検出されたとき、前記優勢な干渉物の不在を認識することをさらに備える、請求項１に記載の方法。
【請求項５】
前記優勢な干渉物の存在に関係する前記情報を前記アクセスプローブのペイロードの少なくとも一部中で搬送することをさらに備える、請求項１に記載の方法。
【請求項６】
前記アクセスプローブの前記ペイロード中の明示的フラグは、前記優勢な干渉物の存在または不在のうちの一方に応じて設定される、請求項５に記載の方法。
【請求項７】
観測された干渉レベルの明示的指示は、前記アクセスプローブの前記ペイロード中に含まれる、請求項５に記載の方法。
【請求項８】
予約されたチャネル品質インジケータ（ＣＱＩ）値が、前記優勢な干渉物の存在を知らせるために前記アクセスプローブの前記ペイロード中に含まれる、請求項５に記載の方法。
【請求項９】
潜在的なリソースのセットに関連するダウンリンク干渉レベルを測定することと、
前記測定されたダウンリンク干渉レベルに基づいて前記セットから少なくとも１つのリソースを選択することと、
前記モバイルデバイスが前記アクセスプローブに応答してアクセス許可信号または後続のアクセス関係メッセージのうちの少なくとも１つを受信することを選好するための、前記選択された少なくとも１つのリソースを指定するインジケータを前記アクセスプローブに組み込むことと、
をさらに備える、請求項１に記載の方法。
【請求項１０】
受信ダウンリンク信号電力または経路損失のうちの少なくとも１つに基づいて前記ターゲットサービング基地局を選択することをさらに備える、請求項１に記載の方法。
【請求項１１】
前記モバイルデバイスによる初期アクセス、前記モバイルデバイスによって開始されたハンドオフ、無線リンク障害またはネットワーク開始型ハンドオフ、のうちの少なくとも１つの結果として、前記ターゲットサービング基地局への送信のための前記アクセスプローブを生成することをさらに備える、請求項１に記載の方法。
【請求項１２】
モバイルデバイスによって測定されたダウンリンク干渉に基づいて優勢な干渉物の存在または不在のうちの一方を検出し、
前記優勢な干渉物の存在または不在のうちの前記検出された一方に対応するインジケータを含むアクセスプローブを生じ、
前記アクセスプローブをターゲットサービング基地局に送信する、
ように構成された少なくとも１つのプロセッサ、
を備えるワイヤレス通信装置。
【請求項１３】
前記インジケータは、前記アクセスプローブのペイロード中の明示的フラグである、請求項１２に記載のワイヤレス通信装置。
【請求項１４】
前記インジケータは、観測された干渉レベルの明示的指示である、請求項１２に記載のワイヤレス通信装置。
【請求項１５】
前記インジケータは、チャネル品質インジケータ（ＣＱＩ）値であり、前記ＣＱＩ値は、前記優勢な干渉物の存在を知らせるために、予約されたＣＱＩ値に設定されるか、または、前記優勢な干渉物の不在を知らせるために、予約されていないＣＱＩ値に設定されるか、の一方である、請求項１２に記載のワイヤレス通信装置。
【請求項１６】
可能なダウンリンク時間周波数リソースのセットに関連するダウンリンク干渉レベルを監視し、
前記監視されたダウンリンク干渉レベルに応じて前記セットから１つまたは複数のダウンリンク時間周波数リソースを選択し、
前記モバイルデバイスが前記ターゲットサービング基地局からアクセス許可信号または後続のアクセス関係メッセージのうちの少なくとも１つを得ることを選好する前記選択された１つまたは複数のダウンリンク時間周波数リソースを知らせるために前記インジケータを搬送する、
ように構成された少なくとも１つのプロセッサ、
をさらに備える、請求項１２に記載のワイヤレス通信装置。
【請求項１７】
受信ダウンリンク信号電力または経路損失のうちの少なくとも１つに基づいて前記ターゲットサービング基地局を選択する、
ように構成された少なくとも１つのプロセッサ、
をさらに備える、請求項１２に記載のワイヤレス通信装置。
【請求項１８】
優勢な干渉物の存在または不在のうちの一方を認識するための手段と、
前記優勢な干渉物の前記存在または前記不在に対応するインジケータを搬送するアクセスプローブを生じるための手段と、
アクセス手順を開始するために前記アクセスプローブをターゲットサービング基地局に送信するための手段と、
を備える装置。
【請求項１９】
前記インジケータは、前記アクセスプローブのペイロード中の明示的フラグである、請求項１８に記載の装置。
【請求項２０】
前記インジケータは、観測された干渉レベルの明示的指示である、請求項１８に記載の装置。
【請求項２１】
前記インジケータは、チャネル品質インジケータ（ＣＱＩ）値であり、前記ＣＱＩ値は、前記優勢な干渉物の存在を知らせるために、予約されたＣＱＩ値に設定されるか、または、前記優勢な干渉物の不在を知らせるために、予約されていないＣＱＩ値に設定されるか、の一方である、請求項１８に記載の装置。
【請求項２２】
潜在的にアクセス可能な基地局のセットから、前記ターゲットサービング基地局にアクセスすることを選択するための手段をさらに備える、請求項１８に記載の装置。
【請求項２３】
前記インジケータは、低い干渉レベルに関連付けられていることが検出された少なくとも１つのダウンリンク時間周波数リソースを指定する、請求項１８に記載の装置。
【請求項２４】
優勢な干渉物がモバイルデバイスの近傍内に存在するかどうかを識別することを少なくとも１つのコンピュータに行わせるためのコードと、
前記優勢な干渉物の存在に関係する情報を含むアクセスプローブを生成することを少なくとも１つのコンピュータに行わせるためのコードと、
アクセス手順を開始するために前記アクセスプローブをターゲットサービング基地局に送信することを少なくとも１つのコンピュータに行わせるためのコードと、
を備えるコンピュータ可読媒体、
を備えるコンピュータプログラム製品。
【請求項２５】
前記優勢な干渉物の前記存在に関係する前記情報は、前記アクセスプローブのペイロード中に含まれる、明示的フラグ、観測された干渉レベルの明示的指示、またはチャネル品質インジケータ（ＣＱＩ）値、のうちの少なくとも１つを介して搬送される、請求項２４に記載のコンピュータプログラム製品。
【請求項２６】
前記コンピュータ可読媒体は、
潜在的なリソースのセットに関連するダウンリンク干渉レベルを測定することを少なくとも１つのコンピュータに行わせるためのコードと、
前記測定されたダウンリンク干渉レベルに基づいて前記セットから少なくとも１つのリソースを選択することを少なくとも１つのコンピュータに行わせるためのコードと、
前記モバイルデバイスがアクセス許可信号または後続のアクセス関係メッセージのうちの少なくとも１つを受信することを選好する前記選択された少なくとも１つのリソースを指定するインジケータを前記アクセスプローブに組み込むことを少なくとも１つのコンピュータに行わせるためのコードと、
をさらに備える、請求項２４に記載のコンピュータプログラム製品。
【請求項２７】
ターゲットサービング基地局と少なくとも１つの非サービング基地局とから受信された信号の強度を測定し、前記少なくとも１つの非サービング基地局のうちの１つまたは複数が優勢な干渉物であるかどうかを識別する、干渉評価コンポーネントと、
前記優勢な干渉物の存在または不在を示す情報を前記ターゲットサービング基地局への送信のために生じられたアクセスプローブ中に組み込むアクセスプローブ生成コンポーネントと、
を備える装置。
【請求項２８】
可能なダウンリンク制御リソースのセット上で観測されたダウンリンク干渉を分析し、前記生じられたアクセスプローブ中で示されるべき前記観測されたダウンリンク干渉の前記分析に基づいて、前記セットから少なくとも１つのダウンリンク制御リソースを選択する、ダウンリンクリソース選択コンポーネントをさらに備える、請求項２７に記載の装置。
【請求項２９】
アクセス手順を開始するモバイルデバイスからアクセスプローブを受信することと、
前記モバイルデバイスが優勢な干渉物の存在を検出したかどうかを識別するために、前記アクセスプローブ中に含まれる情報を評価することと、
前記モバイルデバイスが前記優勢な干渉物の存在を検出したかどうかに少なくとも部分的に基づいて、リソースを選択することと、
前記選択されたリソースを利用してアクセス許可信号または後続のアクセス関係メッセージのうちの少なくとも１つを前記モバイルデバイスに送信することと、
を備える方法。
【請求項３０】
前記優勢な干渉物は、前記モバイルデバイスに対して著しい干渉を引き起こす非サービング基地局である、請求項２９に記載の方法。
【請求項３１】
前記情報は、前記アクセスプローブのペイロードの少なくとも一部中に含まれる、請求項２９に記載の方法。
【請求項３２】
前記優勢な干渉物の存在または不在のうちの一方を認識するために、前記アクセスプローブの前記ペイロード中の明示的フラグの値を見分けることをさらに備える、請求項３１に記載の方法。
【請求項３３】
前記アクセスプローブの前記ペイロードから、観測された干渉レベルの明示的指示を得ることと、
前記観測された干渉レベルに基づいて前記優勢な干渉物の存在または不在のうちの一方を認識することと、
をさらに備える、請求項３１に記載の方法。
【請求項３４】
前記ペイロード中に含まれるチャネル品質インジケータ（ＣＱＩ）値を分析することと、
前記ペイロード中に含まれる前記ＣＱＩ値が予約されたＣＱＩ値に一致したときは、前記優勢な干渉物の存在を識別することと、
前記ペイロード中に含まれる前記ＣＱＩ値が予約されていないＣＱＩ値に一致したときは、前記優勢な干渉物の不在を認識することと、
をさらに備える、請求項３１に記載の方法。
【請求項３５】
前記情報は、後続のダウンリンク送信のために利用されることが要求される可能なリソースのセットから、選好される１つまたは複数のリソースを指定するインジケータを含む、請求項２９に記載の方法。
【請求項３６】
所定のルールに基づいて前記リソースを選択することをさらに備える、請求項２９に記載の方法。
【請求項３７】
異種ネットワークエンティティまたは隣接基地局のうちの少なくとも１つとのネゴシエーションに基づいて前記リソースを選択することをさらに備える、請求項２９に記載の方法。
【請求項３８】
モバイルデバイスが優勢な干渉物の存在を検出したかどうかを識別するために、前記モバイルデバイスから受信されたアクセスプローブのペイロード中に含まれる情報を分析し、
前記モバイルデバイスが前記優勢な干渉物の存在を検出したかどうかに少なくとも部分的に基づいて、リソースを選択し、
前記選択されたリソースを利用してアクセス許可信号または後続のアクセス関係メッセージのうちの少なくとも１つを前記モバイルデバイスに送信する、
ように構成された少なくとも１つのプロセッサ、
を備えるワイヤレス通信装置。
【請求項３９】
前記優勢な干渉物の存在または不在のうちの一方を認識するために、前記アクセスプローブの前記ペイロード中の明示的フラグの値を識別する、
ように構成された少なくとも１つのプロセッサ、
をさらに備える、請求項３８に記載のワイヤレス通信装置。
【請求項４０】
前記アクセスプローブの前記ペイロードからの観測された干渉レベルの明示的指示を認識し、
前記明示的指示が前記優勢な干渉物の存在または不在のうちの一方に対応するかどうかを解読する、
ように構成された少なくとも１つのプロセッサ、
をさらに備える、請求項３８に記載のワイヤレス通信装置。
【請求項４１】
前記ペイロード中に含まれるチャネル品質インジケータ（ＣＱＩ）値を分析し、
前記ペイロード中に含まれる前記ＣＱＩ値が予約されたＣＱＩ値に一致したときは、前記優勢な干渉物の存在を識別し、
前記ペイロード中に含まれる前記ＣＱＩ値が予約されていないＣＱＩ値に一致したときは、前記優勢な干渉物の不在を認識する、
ように構成された少なくとも１つのプロセッサ、
をさらに備える、請求項３８に記載のワイヤレス通信装置。
【請求項４２】
前記情報は、後続のダウンリンク送信のために利用されることが要求される可能なリソースのセットから、選好される少なくとも１つのリソースを指定するインジケータを含む、請求項３８に記載のワイヤレス通信装置。
【請求項４３】
前記リソースは、所定のルール、あるいは異種ネットワークエンティティまたは隣接基地局のうちの１つまたは複数とのネゴシエーション、のうちの少なくとも１つに基づいて選択される、請求項３８に記載のワイヤレス通信装置。
【請求項４４】
モバイルデバイスが優勢な干渉物の存在または不在のうちの一方を検出したかどうかを識別するために、前記モバイルデバイスから得られたアクセスプローブ中に含まれる情報を分析するための手段と、
前記モバイルデバイスが前記優勢な干渉物の存在または不在を検出したかどうかに少なくとも部分的に基づいて、時間周波数リソースを選択するための手段と、
前記選択された時間周波数リソースを利用してアクセス許可信号または後続のアクセス関係メッセージのうちの１つまたは複数を前記モバイルデバイスに送信するための手段と、
を備える装置。
【請求項４５】
前記情報は、明示的フラグ、観測された干渉レベルの明示的指示、またはチャネル品質インジケータ（ＣＱＩ）値、のうちの少なくとも１つを介して前記アクセスプローブの一部として搬送される、請求項４４に記載の装置。
【請求項４６】
前記時間周波数リソースを選択するための前記手段は、さらに、より低い電力の基地局のために予約されたリソースのセットに応じて前記時間周波数リソースを選択する、請求項４４に記載の装置。
【請求項４７】
モバイルデバイスが優勢な干渉物の存在または不在のうちの一方を検出したかどうかを識別するために、前記モバイルデバイスから得られたアクセスプローブ中に含まれる情報を分析することを少なくとも１つのコンピュータに行わせるためのコードと、
前記モバイルデバイスが前記優勢な干渉物の存在または不在を検出したかどうかに少なくとも部分的に基づいて、時間周波数リソースを選択することを少なくとも１つのコンピュータに行わせるためのコードと、
前記選択された時間周波数リソースを利用してアクセス許可信号または後続のアクセス関係メッセージのうちの１つまたは複数を前記モバイルデバイスに送信することを少なくとも１つのコンピュータに行わせるためのコードと、
を備えるコンピュータ可読媒体、
を備えるコンピュータプログラム製品。
【請求項４８】
前記情報は、明示的フラグ、観測された干渉レベルの明示的指示、またはチャネル品質インジケータ（ＣＱＩ）値、のうちの少なくとも１つを介して前記アクセスプローブの一部として搬送される、請求項４７に記載のコンピュータプログラム製品。
【請求項４９】
モバイルデバイスから受信されたアクセスプローブによって搬送されたインジケータが優勢な干渉物の存在または不在のうちの一方を指定することを認識するために、前記アクセスプローブを評価する信号干渉識別コンポーネントと、
前記優勢な干渉物の存在または不在のうちの前記指定された一方に応じて時間周波数リソースを選択するリソース割振りコンポーネントと、
を備える装置。
【請求項５０】
前記選択された時間周波数リソースを利用してアクセス許可信号または後続のアクセス関係メッセージのうちの少なくとも１つを送信するアクセス許可送信コンポーネントをさらに備える、請求項４９に記載の装置。
【請求項５１】
モバイルデバイスがアクセスプローブに応答してアクセス許可信号または後続のアクセス関係メッセージのうちの少なくとも１つを受信することを選好する潜在的なリソースのセットから、ダウンリンク干渉に関係する情報に応じて少なくとも１つのリソースを選択することと、
前記選択された少なくとも１つのリソースを識別するインジケータを含む前記アクセスプローブを生成することと、
前記アクセスプローブをターゲットサービング基地局に送信することと、
を備える方法。
【請求項５２】
ダウンリンク干渉に関係する前記情報を生じるために、潜在的なリソースの前記セットに関連するダウンリンク干渉レベルを測定することをさらに備える、請求項５１に記載の方法。
【請求項５３】
ダウンリンク干渉に関係する前記情報は、より低い電力の基地局のために予約されたリソースのサブセットに関係するブロードキャストされた情報を含む、請求項５１に記載の方法。
【請求項５４】
前記インジケータは、前記アクセスプローブ中で符号化された少なくとも１つのインターレース識別子（ＩＤ）を含み、前記少なくとも１つのインターレースＩＤは、前記アクセス許可信号または前記後続のアクセス関係メッセージのうちの前記少なくとも１つのために使用されることが選好される少なくとも１つのインターレースを識別する、請求項５１に記載の方法。
【請求項５５】
前記インジケータは、前記アクセス許可信号または前記後続のアクセス関係メッセージのうちの前記少なくとも１つのために利用されることが選好される少なくとも１つのサブフレームを含む、請求項５１に記載の方法。
【請求項５６】
前記アクセスプローブは、優勢な干渉物の存在に関係する情報をさらに含む、請求項５１に記載の方法。
【請求項５７】
モバイルデバイスがアクセスプローブに応答してアクセス許可信号または後続のアクセス関係メッセージのうちの少なくとも１つを受信することを選好する潜在的なリソースのセットから、ダウンリンク干渉に関係する情報に応じて少なくとも１つのリソースを選択し、
前記選択された少なくとも１つのリソースを識別するインジケータを含む前記アクセスプローブを生成し、
前記アクセスプローブをターゲットサービング基地局に送信する、
ように構成された少なくとも１つのプロセッサ、
を備えるワイヤレス通信装置。
【請求項５８】
ダウンリンク干渉に関係する前記情報を生じるために、潜在的なリソースの前記セットに関連するダウンリンク干渉レベルを測定する、
ように構成された少なくとも１つのプロセッサ、
をさらに備える、請求項５７に記載のワイヤレス通信装置。
【請求項５９】
ダウンリンク干渉に関係する前記情報は、より低い電力の基地局のために予約されたリソースのサブセットに関係するブロードキャストされた情報を含む、請求項５７に記載のワイヤレス通信装置。
【請求項６０】
前記インジケータは、前記アクセスプローブ中で符号化された少なくとも１つのインターレース識別子（ＩＤ）を含み、前記少なくとも１つのインターレースＩＤは、前記アクセス許可信号または前記後続のアクセス関係メッセージのうちの前記少なくとも１つのために使用されることが選好される少なくとも１つのインターレースを識別する、請求項５７に記載のワイヤレス通信装置。
【請求項６１】
前記インジケータは、前記アクセス許可信号または前記後続のアクセス関係メッセージのうちの前記少なくとも１つのために利用されることが選好される少なくとも１つのサブフレームを含む、請求項５７に記載のワイヤレス通信装置。
【請求項６２】
前記アクセスプローブは、優勢な干渉物の存在に関係する情報をさらに含む、請求項５７に記載のワイヤレス通信装置。
【請求項６３】
モバイルデバイスがアクセスプローブに応答してアクセス許可信号または後続のアクセス関係メッセージのうちの少なくとも１つを受信することを選好する潜在的なリソースのセットから、ダウンリンク干渉に関係する情報に応じて少なくとも１つのリソースを選択するための手段と、
前記選択された少なくとも１つのリソースを識別するインジケータを含む前記アクセスプローブを生成するための手段と、
前記アクセスプローブをターゲットサービング基地局に送信するための手段と、
を備える装置。
【請求項６４】
潜在的なリソースの前記セットに関連するダウンリンク干渉レベルを測定するための手段をさらに備える、請求項６３に記載の装置。
【請求項６５】
ダウンリンク干渉に関係する前記情報は、より低い電力の基地局のために予約されたリソースのサブセットに関係するブロードキャストされた情報を含む、請求項６３に記載の装置。
【請求項６６】
前記インジケータは、前記アクセスプローブ中で符号化された少なくとも１つのインターレース識別子（ＩＤ）を含み、前記少なくとも１つのインターレースＩＤは、前記アクセス許可信号または前記後続のアクセス関係メッセージのうちの前記少なくとも１つのために使用されることが選好される少なくとも１つのインターレースを識別する、請求項６３に記載の装置。
【請求項６７】
前記インジケータは、前記アクセス許可信号または前記後続のアクセス関係メッセージのうちの前記少なくとも１つのために利用されることが選好される少なくとも１つのサブフレームを含む、請求項６３に記載の装置。
【請求項６８】
前記アクセスプローブは、優勢な干渉物の存在に関係する情報をさらに含む、請求項６３に記載の装置。
【請求項６９】
モバイルデバイスがアクセスプローブに応答してアクセス許可信号または後続のアクセス関係メッセージのうちの少なくとも１つを受信することを選好する潜在的なリソースのセットから、ダウンリンク干渉に関係する情報に応じて少なくとも１つのリソースを選択することを少なくとも１つのコンピュータに行わせるためのコードと、
前記選択された少なくとも１つのリソースを識別するインジケータを含む前記アクセスプローブを生成することを少なくとも１つのコンピュータに行わせるためのコードと、
前記アクセスプローブをターゲットサービング基地局に送信することを少なくとも１つのコンピュータに行わせるためのコードと、
を備えるコンピュータ可読媒体、
を備えるコンピュータプログラム製品。
【請求項７０】
前記コンピュータ可読媒体は、潜在的なリソースの前記セットに関連するダウンリンク干渉レベルを測定することを少なくとも１つのコンピュータに行わせるためのコードをさらに備える、請求項６９に記載のコンピュータプログラム製品。
【請求項７１】
ダウンリンク干渉に関係する前記情報は、より低い電力の基地局のために予約されたリソースのサブセットに関係するブロードキャストされた情報を含む、請求項６９に記載のコンピュータプログラム製品。
【請求項７２】
前記インジケータは、前記アクセスプローブ中で符号化された少なくとも１つのインターレース識別子（ＩＤ）を含み、前記少なくとも１つのインターレースＩＤは、前記アクセス許可信号または前記後続のアクセス関係メッセージのうちの前記少なくとも１つのために使用されることが選好される少なくとも１つのインターレースを識別する、請求項６９に記載のコンピュータプログラム製品。
【請求項７３】
前記インジケータは、前記アクセス許可信号または前記後続のアクセス関係メッセージのうちの前記少なくとも１つのために利用されることが選好される少なくとも１つのサブフレームを含む、請求項６９に記載のコンピュータプログラム製品。
【請求項７４】
前記アクセスプローブは、優勢な干渉物の存在に関係する情報をさらに含む、請求項６９に記載のコンピュータプログラム製品。
【請求項７５】
モバイルデバイスがアクセスプローブに応答してアクセス許可信号または後続のアクセス関係メッセージのうちの少なくとも１つを受信することを選好する潜在的なリソースのセットから、ダウンリンク干渉に関係する情報に応じて少なくとも１つのリソースを選択するダウンリンクリソース選択コンポーネントと、
前記選択された少なくとも１つのリソースを識別するインジケータを含む前記アクセスプローブを生じるアクセスプローブ生成コンポーネントと、
を備える装置。
【発明の詳細な説明】
【技術分野】
【０００１】
米国特許法第１１９条に基づく優先権の主張
本特許出願は、本出願の譲受人に譲渡され、参照により本明細書に明確に組み込まれる、２００８年７月１１日に出願された「DOMINANT INTERFERER INDICATION IN ACCESS PROBE」と題する仮出願第６１／０８０，０３２号の優先権を主張する。
【０００２】
以下の説明は、概して、ワイヤレス通信に関し、より詳細には、ワイヤレス通信環境において優勢な（dominant）干渉物の存在をサービング基地局に示すことに関する。
【背景技術】
【０００３】
ワイヤレス通信システムは、たとえばボイス、データなど、様々なタイプの通信コンテンツを提供するために広く展開されている。典型的なワイヤレス通信システムは、使用可能なシステムリソース（たとえば、帯域幅、送信電力、…）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムを含むことができる。さらに、これらのシステムは、ｔｈｉｒｄ  ｇｅｎｅｒａｔｉｏｎ  ｐａｒｔｎｅｒｓｈｉｐ  ｐｒｏｊｅｃｔ（第３世代パートナーシッププロジェクト：３ＧＰＰ）、３ＧＰＰ  ｌｏｎｇ  ｔｅｒｍ  ｅｖｏｌｕｔｉｏｎ（ロングタームエボリューション：ＬＴＥ）、ｕｌｔｒａ  ｍｏｂｉｌｅ  ｂｒｏａｄｂａｎｄ（ウルトラモバイルブロードバンド：ＵＭＢ）などの仕様、および／またはｅｖｏｌｕｔｉｏｎ  ｄａｔａ  ｏｐｔｉｍｉｚｅｄ（ＥＶ−ＤＯ）、その１つまたは複数のリビジョン、などのマルチキャリアワイヤレス仕様に準拠することができる。
【０００４】
一般に、ワイヤレス多元接続通信システムは、複数のモバイルデバイスのための通信を同時にサポートすることができる。各モバイルデバイスは、順方向リンクおよび逆方向リンク上での送信を介して１つまたは複数の基地局と通信することができる。順方向リンク（またはダウンリンク）は、基地局からモバイルデバイスへの通信リンクを指し、逆方向リンク（またはアップリンク）は、モバイルデバイスから基地局への通信リンクを指す。さらに、モバイルデバイスと基地局の間の通信は、単入力単出力（ＳＩＳＯ）システム、多入力単出力（ＭＩＳＯ）システム、多入力多出力（ＭＩＭＯ）システムなどを介して確立され得る。さらに、ピアツーピアワイヤレスネットワーク構成では、モバイルデバイスは、他のモバイルデバイスと（および／または、基地局は、他の基地局と）通信することができる。
【０００５】
異種ワイヤレス通信システムは、通常、異なるセルサイズに各々が関連付けられ得る、様々なタイプの基地局を含むことができる。たとえば、マクロセル基地局は、典型的に、マスト、屋根、他の既存の建造物などに設置された（１つまたは複数の）アンテナを活用する。さらに、マクロセル基地局は、しばしば、数十ワットのオーダーの電力出力を有し、広いエリアのカバレージを与えることができる。フェムトセル基地局は、最近現れた別のクラスの基地局である。フェムトセル基地局は、通常、宅内環境または小企業環境用に設計されており、モバイルデバイスと通信するためのワイヤレス技術（たとえば、３ＧＰＰ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ユニバーサル移動体通信システム：ＵＭＴＳ）またはＬｏｎｇ  Ｔｅｒｍ  Ｅｖｏｌｕｔｉｏｎ（ロングタームエボリューション：ＬＴＥ）、１ｘ  Ｅｖｏｌｕｔｉｏｎ−Ｄａｔａ  Ｏｐｔｉｍｉｚｅｄ（１ｘＥＶ−ＤＯ）、…）と、バックホール用の既存のブロードバンドインターネット接続（たとえば、デジタル加入者回線（ＤＳＬ）、ケーブル、…）と、を使用して、モバイルデバイスにワイヤレスカバレージを与えることができる。フェムトセル基地局は、Ｈｏｍｅ  Ｎｏｄｅ  Ｂ（ＨＮＢ）、フェムトセルなどと呼ばれることもある。他のタイプの基地局の例は、ピコセル基地局、マイクロセル基地局などを含む。
【０００６】
次世代ワイヤレス通信システム（たとえば、ＬＴＥ  Ａｄｖａｎｃｅｄ、…）は、様々な電力レベルでダウンリンク送信を送信する異種（disparate）タイプの基地局をサポートすることができる。さらに、それらの異種タイプの基地局は、未計画な方法で展開されることがある。したがって、それらの異なるタイプの基地局に関連するカバレージエリアは、重複することがある。例として、所与のロケーションに位置するモバイルデバイスが、最も強い受信ダウンリンク信号電力に関連する基地局（たとえば、ターゲット基地局、…）に接続しようと試みることがある。別の例によれば、そのモバイルデバイスは、その所与のロケーションに位置するとき、より低い受信ダウンリンク信号電力に関連する異種基地局（たとえば、ターゲット基地局、ターゲットサービング基地局、…）に接続しようと試みることがある。この例に従うと、そのモバイルデバイスは、特に（たとえば、アクセス手順を介して、…）ターゲット基地局に接続しようと試みるとき、（１つまたは複数の）非サービング基地局（たとえば、最も強い受信ダウンリンク信号電力に関連する非サービング基地局、…）からの著しい干渉を受けることがあり；したがって、そのような干渉によってアクセス手順パフォーマンスが悪影響を及ぼされることがある。
【発明の概要】
【０００７】
以下は、１つまたは複数の態様の基本的理解を与えるために、そのような態様の簡略化された概要を提示する。この概要は、すべての企図された態様の包括的な概観ではなく、すべての態様の主要または重要な要素を識別することが意図されるわけでも、いずれかまたはすべての態様の範囲を定めることが意図されるわけでもない。その唯一の目的は、後で提示するより詳細な説明の導入として、１つまたは複数の態様のいくつかの概念を簡略化された形で提示することである。
【０００８】
１つまたは複数の実施形態およびその対応する開示に従って、ワイヤレス通信環境において優勢な干渉物をターゲットサービング基地局に示すことに関して様々な態様が説明される。モバイルデバイスは、優勢な干渉物の存在または不在を検出することができる。さらに、優勢な干渉物の存在または不在に関係する情報を含むアクセスプローブが生成され得る。たとえば、その情報は、明示的フラグ、干渉レベルの明示的指示、チャネル品質インジケータ（ＣＱＩ）値（たとえば、予約された対予約されていない、…）などとして、アクセスプローブのペイロード中に含まれ得る。その上、アクセスプローブは、アクセス手順を開始するために、ターゲットサービング基地局に送信され得る。ターゲットサービング基地局は、アクセスプローブ中に含まれるその情報に応じて、応答するダウンリンク送信（たとえば、アクセス許可信号、後続のアクセス関係メッセージ、…）のために利用されるべき時間周波数リソースを選択することができる。
【０００９】
関係する態様によれば、方法が本明細書で説明される。本方法は、優勢な干渉物がモバイルデバイスの近傍内に存在するかどうかを識別することを含むことができる。さらに、本方法は、優勢な干渉物の存在に関係する情報を含むアクセスプローブを生成することを備えることができる。その上、本方法は、アクセス手順を開始するためにアクセスプローブをターゲットサービング基地局に送信することを含むことができる。
【００１０】
別の態様は、ワイヤレス通信装置に関する。本ワイヤレス通信装置は、少なくとも１つのプロセッサを含むことができる。少なくとも１つのプロセッサは、モバイルデバイスによって測定されたダウンリンク干渉に基づいて優勢な干渉物の存在または不在のうちの一方を検出するように構成され得る。その上、少なくとも１つのプロセッサは、優勢な干渉物の存在または不在のうちの検出された一方に対応するインジケータを含むアクセスプローブを生じるように構成され得る。さらに、少なくとも１つのプロセッサは、アクセスプローブをターゲットサービング基地局に送信するように構成され得る。
【００１１】
さらに別の態様は、ワイヤレス通信装置に関する。本ワイヤレス通信装置は、優勢な干渉物の存在または不在のうちの一方を認識するための手段を含むことができる。さらに、本ワイヤレス通信装置は、優勢な干渉物の存在または不在に対応するインジケータを搬送するアクセスプローブを生じるための手段を含むことができる。その上、本ワイヤレス通信装置は、アクセス手順を開始するためにアクセスプローブをターゲットサービング基地局に送信するための手段を備えることができる。
【００１２】
さらに別の態様は、コンピュータ可読媒体を備えることができるコンピュータプログラム製品に関する。コンピュータ可読媒体は、優勢な干渉物がモバイルデバイスの近傍内に存在するかどうかを識別することを少なくとも１つのコンピュータに行わせるためのコードを含むことができる。その上、コンピュータ可読媒体は、優勢な干渉物の存在に関係する情報を含むアクセスプローブを生成することを少なくとも１つのコンピュータに行わせるためのコードを含むことができる。さらに、コンピュータ可読媒体は、アクセス手順を開始するためにアクセスプローブをターゲットサービング基地局に送信することを少なくとも１つのコンピュータに行わせるためのコードを含むことができる。
【００１３】
さらに別の態様は、ターゲットサービング基地局と少なくとも１つの非サービング基地局とから受信された信号の強度を測定し、少なくとも１つの非サービング基地局のうちの１つまたは複数が優勢な干渉物であるかどうかを識別する、干渉評価コンポーネントを含むことができる装置に関する。本装置は、優勢な干渉物の存在または不在を示す情報をターゲットサービング基地局への送信のために生じられたアクセスプローブ中に組み込むアクセスプローブ生成コンポーネントをさらに含むことができる。
【００１４】
他の態様によれば、方法が本明細書で説明される。本方法は、アクセス手順を開始するモバイルデバイスからアクセスプローブを受信することを含むことができる。さらに、本方法は、モバイルデバイスが優勢な干渉物の存在を検出したかどうかを識別するために、アクセスプローブ中に含まれる情報を評価することを含むことができる。その上、本方法は、モバイルデバイスが優勢な干渉物の存在を検出したかどうかに少なくとも部分的に基づいて、リソースを選択することを備えることができる。本方法はまた、選択されたリソースを利用してアクセス許可信号または後続のアクセス関係メッセージのうちの少なくとも１つをモバイルデバイスに送信することを含むことができる。
【００１５】
別の態様は、ワイヤレス通信装置に関する。本ワイヤレス通信装置は、少なくとも１つのプロセッサを含むことができる。少なくとも１つのプロセッサは、モバイルデバイスが優勢な干渉物の存在を検出したかどうかを識別するために、モバイルデバイスから受信されたアクセスプローブのペイロード中に含まれる情報を分析するように構成され得る。その上、少なくとも１つのプロセッサは、モバイルデバイスが優勢な干渉物の存在を検出したかどうかに少なくとも部分的に基づいて、リソースを選択するように構成され得る。さらに、少なくとも１つのプロセッサは、選択されたリソースを利用してアクセス許可信号または後続のアクセス関係メッセージのうちの少なくとも１つをモバイルデバイスに送信するように構成され得る。
【００１６】
さらに別の態様は、ワイヤレス通信装置に関する。本ワイヤレス通信装置は、モバイルデバイスが優勢な干渉物の存在または不在のうちの一方を検出したかどうかを識別するために、モバイルデバイスから得られたアクセスプローブ中に含まれる情報を分析するための手段を含むことができる。その上、本ワイヤレス通信装置は、モバイルデバイスが優勢な干渉物の存在または不在を検出したかどうかに少なくとも部分的に基づいて、時間周波数リソースを選択するための手段を備えることができる。さらに、本ワイヤレス通信装置は、選択された時間周波数リソースを利用してアクセス許可信号または後続のアクセス関係メッセージのうちの１つまたは複数をモバイルデバイスに送信するための手段を含むことができる。
【００１７】
さらに別の態様は、コンピュータ可読媒体を備えることができるコンピュータプログラム製品に関する。コンピュータ可読媒体は、モバイルデバイスが優勢な干渉物の存在または不在のうちの一方を検出したかどうかを識別するために、モバイルデバイスから得られたアクセスプローブ中に含まれる情報を分析することを少なくとも１つのコンピュータに行わせるためのコードを含むことができる。さらに、コンピュータ可読媒体は、モバイルデバイスが優勢な干渉物の存在または不在を検出したかどうかに少なくとも部分的に基づいて、時間周波数リソースを選択することを少なくとも１つのコンピュータに行わせるためのコードを含むことができる。その上、コンピュータ可読媒体は、選択された時間周波数リソースを利用してアクセス許可信号または後続のアクセス関係メッセージのうちの１つまたは複数をモバイルデバイスに送信することを少なくとも１つのコンピュータに行わせるためのコードを含むことができる。
【００１８】
さらに別の態様は、モバイルデバイスから受信されたアクセスプローブによって搬送されたインジケータが優勢な干渉物の存在または不在のうちの一方を指定することを認識するために、そのアクセスプローブを評価する信号干渉識別コンポーネントを含むことができる装置に関する。本装置は、優勢な干渉物の存在または不在のうちの指定された一方に応じて時間周波数リソースを選択するリソース割振りコンポーネントをさらに含むことができる。
【００１９】
他の態様によれば、方法が本明細書で説明される。本方法は、モバイルデバイスがアクセスプローブに応答してアクセス許可信号または後続のアクセス関係メッセージのうちの少なくとも１つを受信することを選好する潜在的なリソースのセットから、ダウンリンク干渉に関係する情報に応じて少なくとも１つのリソースを選択することを含むことができる。さらに、本方法は、選択された少なくとも１つのリソースを識別するインジケータを含むアクセスプローブを生成することを含むことができる。その上、本方法は、アクセスプローブをターゲットサービング基地局に送信することを含むことができる。
【００２０】
別の態様は、ワイヤレス通信装置に関する。本ワイヤレス通信装置は、少なくとも１つのプロセッサを含むことができる。少なくとも１つのプロセッサは、モバイルデバイスがアクセスプローブに応答してアクセス許可信号または後続のアクセス関係メッセージのうちの少なくとも１つを受信することを選好する潜在的なリソースのセットから、ダウンリンク干渉に関係する情報に応じて少なくとも１つのリソースを選択するように構成され得る。その上、少なくとも１つのプロセッサは、選択された少なくとも１つのリソースを識別するインジケータを含むアクセスプローブを生成するように構成され得る。さらに、少なくとも１つのプロセッサは、アクセスプローブをターゲットサービング基地局に送信するように構成され得る。
【００２１】
さらに別の態様は、ワイヤレス通信装置に関する。本ワイヤレス通信装置は、モバイルデバイスがアクセスプローブに応答してアクセス許可信号または後続のアクセス関係メッセージのうちの少なくとも１つを受信することを選好する潜在的なリソースのセットから、ダウンリンク干渉に関係する情報に応じて少なくとも１つのリソースを選択するための手段を含むことができる。さらに、本ワイヤレス通信装置は、選択された少なくとも１つのリソースを識別するインジケータを含むアクセスプローブを生成するための手段を含むことができる。その上、本ワイヤレス通信装置は、アクセスプローブをターゲットサービング基地局に送信するための手段を含むことができる。
【００２２】
さらに別の態様は、コンピュータ可読媒体を備えることができるコンピュータプログラム製品に関する。コンピュータ可読媒体は、モバイルデバイスがアクセスプローブに応答してアクセス許可信号または後続のアクセス関係メッセージのうちの少なくとも１つを受信することを選好する潜在的なリソースのセットから、ダウンリンク干渉に関係する情報に応じて少なくとも１つのリソースを選択することを少なくとも１つのコンピュータに行わせるためのコードを含むことができる。コンピュータ可読媒体は、選択された少なくとも１つのリソースを識別するインジケータを含むアクセスプローブを生成することを少なくとも１つのコンピュータに行わせるためのコードをさらに含むことができる。その上、コンピュータ可読媒体は、アクセスプローブをターゲットサービング基地局に送信することを少なくとも１つのコンピュータに行わせるためのコードを含むことができる。
【００２３】
さらに別の態様は、モバイルデバイスがアクセスプローブに応答してアクセス許可信号または後続のアクセス関係メッセージのうちの少なくとも１つを受信することを選好する潜在的なリソースのセットから、ダウンリンク干渉に関係する情報に応じて少なくとも１つのリソースを選択するダウンリンクリソース選択コンポーネントを含むことができる装置に関する。本装置は、選択された少なくとも１つのリソースを識別するインジケータを含むアクセスプローブを生じるアクセスプローブ生成コンポーネントをさらに含むことができる。
【００２４】
上記および関連する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むことが意図される。
【図面の簡単な説明】
【００２５】
【図１】図１は、本明細書に記載の様々な態様によるワイヤレス通信システムの図である。
【図２】図２は、ネットワーク環境内でのアクセスポイント基地局（たとえば、フェムトセル基地局、…）の展開を可能にする例示的なシステムの図である。
【図３】図３は、ワイヤレス通信環境において優勢な干渉物によって引き起こされる干渉を制御することをサポートする例示的なシステムの図である。
【図４】図４は、ワイヤレス通信環境においてダウンリンクアクセス関係送信のために利用する制御リソース情報をフィードバックする例示的なシステムの図である。
【図５】図５は、ワイヤレス通信環境において優勢な干渉物の存在を示すことを可能にする例示的な方法の図である。
【図６】図６は、ワイヤレス通信環境において優勢な干渉物の存在に関係するフィードバックを利用することを可能にする例示的な方法の図である。
【図７】図７は、ワイヤレス通信環境において干渉関係情報に基づいてダウンリンク送信のために利用する１つまたは複数のリソースを指定することを可能にする例示的な方法の図である。
【図８】図８は、ワイヤレス通信システムにおいて優勢な干渉物の存在または不在に関する通知をターゲットサービング基地局に供給する例示的なモバイルデバイスの図である。
【図９】図９は、ワイヤレス通信環境において優勢な干渉物の存在に関係するフィードバックを得る例示的なシステムの図である。
【図１０】図１０は、本明細書に記載の様々なシステムおよび方法とともに採用され得る例示的なワイヤレスネットワーク環境の図である。
【図１１】図１１は、ワイヤレス通信環境において優勢な干渉物に関係する情報をターゲットサービング基地局にシグナリングすることを可能にする例示的なシステムの図である。
【図１２】図１２は、ワイヤレス通信環境において優勢な干渉物関係フィードバックを利用することを可能にする例示的なシステムの図である。
【図１３】図１３は、ワイヤレス通信環境において（１つまたは複数の）選択されたリソースに関係する情報をターゲットサービング基地局にシグナリングすることを可能にする例示的なシステムの図である。
【発明を実施するための形態】
【００２６】
次に、図面を参照しながら様々な態様が説明される。以下の記述では、説明の目的で、１つまたは複数の態様の完全な理解を与えるために多数の具体的な詳細が記載される。ただし、そのような（１つまたは複数の）態様は、これらの具体的な詳細なしに実施され得ることは明白であり得る。
【００２７】
本出願で使用される「コンポーネント」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むことが意図される。たとえば、コンポーネントは、プロセッサ上で実行されるプロセス、プロセッサ、オブジェクト、実行可能ファイル、実行スレッド、プログラム、および／またはコンピュータであり得るが、これらに限定されない。例として、コンピューティングデバイス上で実行されるアプリケーションと、そのコンピューティングデバイスの両方がコンポーネントであり得る。１つまたは複数のコンポーネントがプロセスおよび／または実行スレッド内に常駐することができ、１つのコンポーネントは１つのコンピュータ上に配置され得、および／または２つ以上のコンピュータ間に分散され得る。さらに、これらのコンポーネントは、様々なデータ構造を記憶している様々なコンピュータ可読媒体から実行することができる。これらのコンポーネントは、ローカルシステム中の、分散システム中の、および／または他のシステムを用いたインターネットなどのネットワーク全体の中の別のコンポーネントと信号を介して相互作用する１つのコンポーネントからのデータなど、１つまたは複数のデータパケットを有する信号によるなど、ローカルおよび／またはリモートプロセスを介して通信することができる。
【００２８】
さらに、本明細書では、ワイヤード端末またはワイヤレス端末であり得る端末に関する様々な態様が説明される。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、コンピューティングデバイス、またはワイヤレスモデムに接続された他の処理デバイスであり得る。さらに、本明細書では基地局に関する様々な態様が説明される。基地局は、（１つまたは複数の）ワイヤレス端末と通信するために利用され得、アクセスポイント、Ｎｏｄｅ  Ｂ、Ｅｂｏｌｖｅｄ  Ｎｏｄｅ  ノードＢ（ｅＮｏｄｅ  Ｂ、ｅＮＢ）、または何らかの他の用語で呼ばれることもある。
【００２９】
さらに、「または」という用語は、排他的な「または」ではなく、包括的な「または」を意味することが意図される。すなわち、別段の規定がない限り、または文脈から明白でない限り、「ＸはＡまたはＢを使用する」という句は、自然な包括的置換のいずれかを意味することが意図される。すなわち、「ＸはＡまたはＢを使用する」という句は、ＸがＡを使用する場合；ＸがＢを使用する場合；またはＸがＡとＢの両方を使用する場合のいずれによっても満たされる。さらに、本出願および添付の特許請求の範囲で使用される冠詞「ａ」および「ａｎ」は、別段の規定がない限り、または単数形を示すことが文脈から明白でない限り、概して「１つまたは複数」を意味するものと解釈されるべきである。
【００３０】
本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）および他のシステムなど、様々なワイヤレス通信システムに対して使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ユニバーサル地上無線アクセス：ＵＴＲＡ）、ＣＤＭＡ２０００などの無線技術を実装することができる。ＵＴＲＡは、Ｗｉｄｅｂａｎｄ−ＣＤＭＡ（広帯域ＣＤＭＡ：Ｗ−ＣＤＭＡ）およびＣＤＭＡの他の変形態を含む。さらに、ＣＤＭＡ２０００は、ＩＳ−２０００、ＩＳ−９５およびＩＳ−８５６規格をカバーする。ＴＤＭＡシステムはＧｌｏｂａｌ  Ｓｙｓｔｅｍ  ｆｏｒ  Ｍｏｂｉｌｅ  Ｃｏｍｍｕｎｉｃａｔｉｏｎｓ（移動体通信用グローバルシステム：ＧＳＭ（登録商標））などの無線技術を実装することができる。ＯＦＤＭＡシステムは、Ｅｖｏｌｖｅｄ  ＵＴＲＡ（進化型ＵＴＲＡ：Ｅ−ＵＴＲＡ）、Ｕｌｔｒａ  Ｍｏｂｉｌｅ  Ｂｒｏａｄｂａｎｄ（ウルトラモバイルブロードバンド：ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭなどの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ユニバーサル移動体通信システム：ＵＭＴＳ）の一部である。３ＧＰＰ  Ｌｏｎｇ  Ｔｅｒｍ  Ｅｖｏｌｕｔｉｏｎ（ロングタームエボリューション：ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（第３世代パートナーシッププロジェクト：３ＧＰＰ）と称する組織からの文書に記載されている。さらに、ＣＤＭＡ２０００およびＵｌｔｒａ  Ｍｏｂｉｌｅ  Ｂｒｏａｄｂａｎｄ（ＵＭＢ）は、「３ｒｄ  Ｇｅｎｅｒａｔｉｏｎ  Ｐａｒｔｎｅｒｓｈｉｐ  Ｐｒｏｊｅｃｔ  ２」（第３世代パートナーシッププロジェクト２：３ＧＰＰ２）と称する組織からの文書に記載されている。さらに、そのようなワイヤレス通信システムは、対になってない無資格のスペクトル、８０２．ｘｘワイヤレスＬＡＮ、ＢＬＵＥＴＯＯＴＨ（登録商標）および任意の他の短距離または長距離ワイヤレス通信技法をしばしば使用する、ピアツーピア（たとえば、モバイルツーモバイル）のアドホックネットワークシステムをさらに含むことができる。
【００３１】
シングルキャリア周波数分割多元接続（ＳＣ−ＦＤＭＡ）は、シングルキャリア変調および周波数領域等化を利用する。ＳＣ−ＦＤＭＡは、ＯＦＤＭＡシステムと同様の性能および本質的に同じ全体的な複雑さを有する。ＳＣ−ＦＤＭＡ信号は、その特有のシングルキャリア構造のためにより低いピーク対平均電力比（ＰＡＰＲ）を有する。ＳＣ−ＦＤＭＡは、たとえば、より低いＰＡＰＲが送信電力効率の点でアクセス端末に大きな利益を与えるアップリンク通信において使用され得る。したがって、ＳＣ−ＦＤＭＡは、３ＧＰＰ  Ｌｏｎｇ  Ｔｅｒｍ  Ｅｖｏｌｕｔｉｏｎ（ロングタームエボリューション：ＬＴＥ）またはＥｖｏｌｖｅｄ  ＵＴＲＡでアップリンク多元接続方式として実装され得る。
【００３２】
本明細書で説明される様々な態様または特徴は、標準のプログラミングおよび／またはエンジニアリング技法を使用した方法、装置、または製造品として実装され得る。本明細書で使用される「製造品」という用語は、任意のコンピュータ可読デバイス、キャリア、または媒体からアクセス可能なコンピュータプログラムを包含することが意図される。たとえば、コンピュータ可読媒体は、磁気記憶デバイス（たとえば、ハードディスク、フロッピー（登録商標）ディスク、磁気ストリップなど）、光ディスク（たとえば、コンパクトディスク（ＣＤ）、デジタル多用途ディスク（ＤＶＤ）など）、スマートカード、およびフラッシュメモリデバイス（たとえば、ＥＰＲＯＭ、カード、スティック、キードライブなど）を含むことができるが、これらに限定されない。さらに、本明細書で説明される様々な記憶媒体は、情報を記憶するための１つまたは複数のデバイスおよび／または他の機械可読媒体を表すことができる。「機械可読媒体」という用語は、ワイヤレスチャネル、ならびに（１つまたは複数の）命令および／またはデータを記憶、含有、および／または搬送することが可能な様々な他の媒体を含むことができるが、これらに限定されない。
【００３３】
ここで図１を参照すると、本明細書で提示される様々な実施形態によるワイヤレス通信システム１００が示されている。システム１００は、複数のアンテナグループを含むことができる基地局１０２を備える。たとえば、あるアンテナグループは、アンテナ１０４および１０６を含むことができ、別のグループは、アンテナ１０８および１１０を備えることができ、追加のグループは、アンテナ１１２および１１４を含むことができる。アンテナグループごとに２つのアンテナが示されており；しかしながら、グループごとにより多いまたはより少ないアンテナが利用され得る。基地局１０２は、さらに、送信機チェーンおよび受信機チェーンを含むことができ、送信機チェーンおよび受信機チェーンの各々は、当業者によって諒解されるように、信号送信および受信に関連する複数のコンポーネント（たとえば、プロセッサ、変調器、マルチプレクサ、復調器、デマルチプレクサ、アンテナなど）を備えることができる。
【００３４】
基地局１０２は、モバイルデバイス１１６およびモバイルデバイス１２２など１つまたは複数のモバイルデバイスと通信することができ；しかしながら、基地局１０２は、モバイルデバイス１１６および１２２と同様の実質的にいかなる数のモバイルデバイスとも通信することができることが諒解されるべきである。モバイルデバイス１１６および１２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１００を介して通信するための他の適切なデバイスであり得る。図示されるように、モバイルデバイス１１６は、アンテナ１１２および１１４と通信しており、アンテナ１１２および１１４は、順方向リンク１１８を介して情報をモバイルデバイス１１６に送信し、逆方向リンク１２０を介してモバイルデバイス１１６から情報を受信する。さらに、モバイルデバイス１２２は、アンテナ１０４および１０６と通信しており、アンテナ１０４および１０６は、順方向リンク１２４を介して情報をモバイルデバイス１２２に送信し、逆方向リンク１２６を介してモバイルデバイス１２２から情報を受信する。周波数分割複信（ＦＤＤ）システムでは、たとえば、順方向リンク１１８は、逆方向リンク１２０によって使用される周波数帯とは異なる周波数帯を利用し、順方向リンク１２４は、逆方向リンク１２６によって採用される周波数帯とは異なる周波数帯を採用することができる。さらに、時分割複信（ＴＤＤ）システムでは、順方向リンク１１８および逆方向リンク１２０は共通の周波数帯を利用し、順方向リンク１２４および逆方向リンク１２６は共通の周波数帯を利用することができる。
【００３５】
アンテナの各グループおよび／またはそれらが通信するように指定されたエリアは、基地局１０２のセクタと呼ばれることがある。たとえば、アンテナグループは、基地局１０２によってカバーされるエリアのセクタ中のモバイルデバイスと通信するように設計され得る。順方向リンク１１８および１２４を介した通信では、基地局１０２の送信アンテナは、モバイルデバイス１１６および１２２についての順方向リンク１１８および１２４の信号対雑音比を向上させるためにビームフォーミングを利用することができる。また、基地局１０２が、関連するカバレージ中に不規則に散在するモバイルデバイス１１６および１２２に送信するためにビームフォーミングを利用する間は、基地局が単一のアンテナを介してその基地局のすべてのモバイルデバイスに送信する場合と比較して、隣接セル中のモバイルデバイスは干渉を受けにくいことがある。
【００３６】
基地局１０２は、任意のタイプの基地局（たとえば、マクロセル基地局、マイクロセル基地局、ピコセル基地局、フェムトセル基地局、…）であり得ることが企図される。たとえば、最大受信ダウンリンク信号電力、最小経路損失など、いくつかの最適性基準に基づいて、ターゲット基地局（たとえば、基地局１０２、異種基地局（図示せず、…）が、各モバイルデバイス１１６、１２２によってそのサービング基地局として選択され得る。別の例によれば、各モバイルデバイス１１６、１２２のサービング基地局としてのターゲット基地局の選択は、アクセスネットワークによって実行され、各モバイルデバイス１１６、１２２にそれぞれブロードキャストされ得る。その上、モバイルデバイス１１６、１２２は、通常、アクセスプローブ、アクセスシーケンス、アクセスプリアンブルなどと呼ばれるアクセス信号（以下、アクセスプローブと称する）を送信することによってアクセス手順を介してセルラーネットワークにアクセスすることができる。アクセスプローブは、それぞれのモバイルデバイス１１６、１２２のサービング基地局であるものとして選択されたターゲット基地局を対象とすることがあり得る。さらに、ターゲット基地局は、後続のアクセス交換のためのリソースを示すことができるアクセス許可信号を送信することによって、各モバイルデバイス１１６、１２２のアクセス試行（たとえば、各アクセスプローブの受信、…）に応答することができる。
【００３７】
モバイルデバイス１１６、１２２は、たとえば、全体的なネットワーク容量および／またはパフォーマンスを改善するために、拡張アップリンクパフォーマンスを達成するために、など、様々な理由で、異種基地局（たとえば、異なる基地局（図示せず）、基地局１０２、…）に対応する受信ダウンリンク信号電力未満の受信ダウンリンク信号電力に関連するターゲット基地局とのアクセス手順を開始することがある。したがって、その異種基地局は、モバイルデバイス１１６、１２２に対する優勢な干渉物であり得、それによって、著しいダウンリンク干渉を引き起こす。従来のアプローチを採用すると、モバイルデバイス１１６、１２２は、そのような干渉のために、ターゲット基地局によって送信されるアクセス許可および／または後続のアクセス関係メッセージを得ることができないことがある。対照的に、システム１００は、優勢な干渉物の存在（または不在）をターゲット基地局に示すことをサポートすることができる。より詳細には、各モバイルデバイス１１６、１２２は、アクセスプローブの一部として、優勢な干渉物の存在をそれぞれのターゲット基地局に示すことができる。優勢な干渉物の存在に関係する指示をモバイルデバイス１１６、１２２から受信すると、基地局１０２は、アクセス許可および／または後続のアクセス関係メッセージの送信に関連して、ダウンリンク干渉を緩和するための機構を活用すること（たとえば、予約されたリソースまたはモバイルデバイス１１６、１２２によって指定されたリソースなどの異種ダウンリンクリソースを利用すること、優勢な干渉物、（１つまたは複数の）異種基地局および／または（１つまたは複数の）ネットワークノードと交渉すること、…）ができる。
【００３８】
システム１００は、ある基地局（たとえば、基地局１０２、…）が（たとえば、優勢な干渉物と比較して、…）より低い経路損失を有する場合、モバイルデバイス１１６、１２２が、（たとえば、優勢な干渉物と比較して、…）より低い受信電力をもつその基地局に接続しようと試みる、優勢干渉シナリオに遭遇することがある。これは、そのような基地局が他の基地局（たとえば、優勢な干渉物、…）よりも著しく低い送信電力を有する場合（たとえば、ピコセル基地局、フェムトセル基地局、…）にあてはまることがあり、同様のデータレートを達成するためにネットワークに対してより小さい干渉を引き起こす。同様に、逆方向リンク上で、より低い経路損失をもつ基地局への送信は、ネットワークに対してより小さい干渉を引き起こすことができる。別の例によれば、優勢干渉シナリオは、基地局が制限付き関連付けを有することによることがある。モバイルデバイス（たとえば、モバイルデバイス１１６、１２２、…）は、最も強いチャネルをもつ制限付き関連付け基地局（たとえば、フェムトセル基地局、…）に接続するのを禁止されることがあり、したがって、その制限付き関連付け基地局は優勢な干渉物であり得る。
【００３９】
図２は、ネットワーク環境内でアクセスポイント基地局（たとえば、フェムトセル基地局、…）の展開を可能にする例示的な通信システム２００を示す。図２に示されるように、システム２００は、アクセスポイント基地局、Ｈｏｍｅ  Ｎｏｄｅ  Ｂユニット（ＨＮＢ）、フェムトセルなどと呼ばれることもある、複数のフェムトセル基地局を含む。フェムトセル基地局（ＨＮＢ２１０）は、たとえば、対応する小規模ネットワーク環境において、たとえば、１つまたは複数のユーザ住居２３０中などにそれぞれ設置され得、関連する（１つまたは複数の）モバイルデバイス２２０、ならびに異質の（１つまたは複数の）モバイルデバイス２２０にサービスするようにそれぞれ構成され得る。各ＨＮＢ２１０は、さらに、ＤＳＬルータ（図示せず）または代替的にケーブルモデム（図示せず）を介してインターネット２４０およびモバイル事業者コアネットワーク２５０に結合される。
【００４０】
本明細書で説明される実施形態は、３ＧＰＰ用語を使用しているが、それらの実施形態は、３ＧＰＰ（Ｒｅｌ９９、Ｒｅｌ５、Ｒｅｌ６、Ｒｅｌ７）技術、ならびに３ＧＰＰ２（１ｘＲＴＴ、１ｘＥＶ−ＤＯ  Ｒｅｌ０、ＲｅｖＡ、ＲｅｖＢ）技術、ならびに他の知られている関連する技術に適用され得ることが理解されるべきである。本明細書で説明されるそのような実施形態では、ＨＮＢ２１０の所有者は、モバイル事業者コアネットワーク２５０によって提供されるモバイルサービス、たとえば、３Ｇモバイルサービスなどに加入することができ、モバイルデバイス２２０は、マクロセル基地局２６０を介したマクロセルラー環境と宅内小規模ネットワーク環境との両方において動作することが可能であり得る。したがって、ＨＮＢ２１０は任意の既存のモバイルデバイス２２０と後方互換性があり得る。
【００４１】
マクロセル基地局２６０に関連するダウンリンクカバレージエリアのサイズとＨＮＢ２１０に関連するダウンリンクカバレージエリアのサイズとは、互いにかなり異なることがあり；特に、マクロセル基地局２６０は、大きいカバレージエリアに関連付けられ得、一方、ＨＮＢ２１０は、小さいカバレージエリアにそれぞれ関連付けられ得る。ダウンリンク考慮事項に基づくと、モバイルデバイス２２０は、最も強い受信ダウンリンク信号電力をもつ基地局（たとえば、マクロセル基地局２６０、ＨＮＢ２１０、…）に接続することが有利であり得る。対照的に、アップリンク上では、基地局における受信アップリンク電力レベルは、経路損失による減衰の関数であり得る。したがって、基地局のアップリンクカバレージは、基地局の送信電力ではなく経路損失およびアンテナ利得に基づき得る。したがって、システム２００などの異種ネットワークでは、ダウンリンクセル境界／カバレージエリアとアップリンクセル境界／カバレージエリアとの間の不一致が存在することがある。
【００４２】
様々なシナリオでは、モバイルデバイス２２０は、より強い受信ダウンリンク信号電力をもつ基地局と比較して、より低い経路損失に関連付けられた基地局に接続することが望ましいことがあり；しかしながら、より強い受信ダウンリンク信号電力をもつ基地局は、モバイルデバイス２２０に対して著しい干渉を引き起こし得る（たとえば、より強い受信ダウンリンク信号電力をもつ基地局は、モバイルデバイス２２０に対する優勢な干渉物であり得る、…）。たとえば、より低い経路損失を有する基地局にモバイルデバイス２２０を接続することは、セルスプリット利得が拡張周波数再利用を可能にし得るので、全体的なネットワークパフォーマンスにとって有益であることがある。この例に従うと、マクロセル基地局２６０は、複数のＨＮＢ２１０によってもカバーされ得る領域をカバーすることができる。モバイルデバイス２２０が所与の周波数を使用して、マクロセル基地局２６０ではなく複数のＨＮＢ２１０のうちの最も近接した１つに接続する場合、そのような周波数は、（１つまたは複数の）異種ＨＮＢ２１０によって再利用され得、ここで、複数のＨＮＢ２１０のうちの最も近接した１つと（１つまたは複数の）異種ＨＮＢ２１０とは、マクロセル基地局２６０のカバレージ領域内にある。反対に、モバイルデバイス２２０がその所与の周波数を利用してマクロセル基地局２６０に接続する場合、そのような周波数は、マクロセル基地局２６０のカバレージ領域内で再利用されることができないことがある。
【００４３】
別の例によれば、システム２００において差異料金プランが利用され得；そのようなプランに基づいて、モバイルデバイス２２０は、第２のタイプの基地局に対して第１のタイプの基地局に優先的に接続することができる。たとえば、（１つまたは複数の）ＨＮＢ２１０に接続された時間は定額料金取決めの一部として含まれ得る一方、モバイルデバイス２２０が（たとえば、ボイス呼を実行するために、…）マクロセル基地局２６０に接続したときは使用時間の量に基づいてモバイルデバイス２２０に関連する勘定書が送られ得る。この例によれば、（１つまたは複数の）ＨＮＢ２１０の範囲内にあるとき、モバイルデバイス２２０が接続しようと試みている（１つまたは複数の）ＨＮＢ２１０から得られる受信ダウンリンク信号電力と比較して、より強い受信ダウンリンク信号電力がマクロセル基地局２６０から得られることをモバイルデバイス２２０が識別した場合でも、モバイルデバイス２２０は、マクロセル基地局２６０ではなく（１つまたは複数の）ＨＮＢ２１０に接続しようと試みることがある。したがって、マクロセル基地局２６０はモバイルデバイス２２０に対する優勢な干渉物であり得る。
【００４４】
さらなる一例として、マクロセル基地局２６０と隣接ＨＮＢ（たとえば、複数のＨＮＢ２１０のうちの１つ、…）は、少なくとも部分的に重複カバレージ領域を有することがある。モバイルデバイス２２０は、隣接ＨＮＢがマクロセル基地局２６０と比較してより強い受信ダウンリンク信号電力を有することができることを認識することがある。しかしながら、隣接ＨＮＢが、モバイルデバイス２２０によるアクセスを抑止する制限付き関連付け基地局である場合、モバイルデバイス２２０は、隣接ＨＮＢと接続することができないことがある。制限付き関連付けをもつ基地局は、モバイルデバイスのサブセットがその基地局に接続することを許可しない（またはモバイルデバイスのサブセットのみがその基地局に接続することを許可する）ことができ、モバイルデバイス２２０は、サブセット中の許可されないモバイルデバイスのうちの１つであり得る。たとえば、制限付き関連付けをもつ隣接ＨＮＢは、隣人の家の内部に設置され得、その家庭で生活する（１人または複数の）ユーザに関連する（１つまたは複数の）モバイルデバイスのみがその隣接ＨＮＢに接続する（たとえば、アクセスする、…）ことを許可することができる。さらに、たとえば、隣接ＨＮＢは、モバイルデバイス２２０に対する優勢な干渉物であり得る。
【００４５】
システム２００は、モバイルデバイス２２０に対する優勢な干渉物によってもたらされる干渉を緩和することができる。たとえば、システム２００は、モバイルデバイス２２０によって活用され得る、アクセスプローブの一部として優勢な干渉物の存在をサービング基地局に示すための機構をサポートすることができる。その上、サービング基地局は、優勢な干渉物の存在に関係する受信情報を利用して、後続のダウンリンク送信（たとえば、アクセス許可、後続のアクセス関係メッセージ、…）のためにダウンリンク干渉を緩和することができる。システム２００は、マクロセル基地局およびフェムトセル基地局を含む例示的な環境を表すが、上述の例は、実質的に任意のタイプの基地局を含む異種環境に拡大され得ることが諒解されるべきである。
【００４６】
図３を参照すると、ワイヤレス通信環境において優勢な干渉物によって引き起こされる干渉を制御することをサポートするシステム３００が示されている。システム３００は、情報、信号、データ、命令、コマンド、ビット、シンボルなどを送信および／または受信することができるモバイルデバイス３０２を含む。モバイルデバイス３０２は、順方向リンクおよび／または逆方向リンクを介してターゲット基地局３０４と通信することができる。ターゲット基地局３０４は、情報、信号、データ、命令、コマンド、ビット、シンボルなどを送信および／または受信することができる。ターゲット基地局３０４は、任意のタイプの基地局（たとえば、フェムトセル基地局、ピコセル基地局、マイクロセル基地局、マクロセル基地局、…）であり得る。さらに、システム３００は、ターゲット基地局３０４と実質的に同様であり得る任意の数の（１つまたは複数の）異種基地局３０６を含むことができる。（１つまたは複数の）異種基地局３０６はそれぞれ任意のタイプの基地局（たとえば、フェムトセル基地局、ピコセル基地局、マイクロセル基地局、マクロセル基地局、…）であり得ることが諒解されるべきである。その上、図示されていないが、モバイルデバイス３０２と同様の任意の数のモバイルデバイスがシステム３００中に含まれ得ることが企図される。
【００４７】
モバイルデバイス３０２は、干渉評価コンポーネント３０８と、アクセスプローブ生成コンポーネント３１０と、をさらに含むことができる。干渉評価コンポーネント３０８は、ダウンリンク上の干渉を検出することができる。たとえば、干渉評価コンポーネント３０８は、ターゲット基地局３０４と（１つまたは複数の）異種基地局３０６とから受信された信号の強度を測定することができる。その受信された信号の測定値に基づいて、干渉評価コンポーネント３０８は、（１つまたは複数の）異種基地局３０６のうちの１つ（または複数）がモバイルデバイス３０２に対する優勢な干渉物であるかどうかを識別することができる。例として、干渉評価コンポーネント３０８は、ターゲット基地局３０４と（１つまたは複数の）異種基地局３０６とから得られた信号を分析することができる。この例に従うと、干渉評価コンポーネント３０８は、（１つまたは複数の）異種基地局３０６のうちの１つまたは複数から得られた信号に対応する受信ダウンリンク信号電力が、ターゲット基地局３０４から受信された信号に対応する受信ダウンリンク信号電力よりも強いかどうかを認識することができる。（１つまたは複数の）異種基地局３０６のうちの１つまたは複数に関連する受信ダウンリンク信号電力が、ターゲット基地局３０４に関連する受信ダウンリンク信号電力よりも強い場合、干渉評価コンポーネント３０８は、そのような（１つまたは複数の）異種基地局３０６がモバイルデバイス３０２に対する優勢な干渉物であることを認識することができる。その上、ターゲット基地局３０４に関連する受信ダウンリンク信号電力が、（１つまたは複数の）異種基地局３０６に対応する受信ダウンリンク信号電力よりも強い場合、干渉評価コンポーネント３０８は、優勢な干渉物の欠如を識別することができる。さらに、優勢な干渉物を認識するために干渉評価コンポーネント３０８によって任意の異なるしきい値が利用され得、また、請求する主題は、最も強い受信信号電力が、ターゲット基地局３０４から送信された信号に関連付けられるのか、または（１つまたは複数の）異種基地局３０６のうちの１つから送信された信号に関連付けられるのかに関係する判断に基づいて優勢な干渉物を識別することに限定されないことがさらに企図される。
【００４８】
さらに、アクセスプローブ生成コンポーネント３１０は、ターゲット基地局３０４への送信のためのアクセスプローブを生じることができる。ワイヤレス通信環境では、モバイルデバイス３０２などのモバイルデバイスは、通常、アクセスプローブと呼ばれる（たとえば、アクセスシーケンス、アクセスプリアンブル、…とも呼ばれる）アクセス信号を送信することによってネットワークにアクセスすることができる。アクセスプローブは、アクセスプローブ生成コンポーネント３１０によって出力され、特定の基地局（たとえば、ターゲット基地局３０４、…）に対してターゲットにされ得る。たとえば、ターゲット基地局３０４は、最大受信ダウンリンク信号電力、最小経路損失など、最適性基準に基づいて、モバイルデバイス３０２によってそのサービング基地局として選択され得る。別の例によれば、ターゲット基地局３０４は、ブロードキャストの一部としてモバイルデバイス３０２に対して指定され得、その場合、サービング基地局選択は、アクセスネットワークによって実行され得る。さらに、ターゲット基地局３０４は、後続のアクセス交換のためのリソースを示すことができるアクセス許可信号を送信することによって、モバイルデバイス３０２によるアクセス試行に応答することができる。
【００４９】
アクセスプローブ生成コンポーネント３１０によって生じられたアクセスプローブは、ペイロードを搬送することができる。ペイロードは、たとえば、ターゲット基地局３０４に対応するＣｈａｎｎｅｌ  Ｑｕａｌｉｔｙ  Ｉｎｄｉｃａｔｏｒ（チャネル品質インジケータ：ＣＱＩ）値を含むことができる。さらに、ＣＱＩ値は、ターゲット基地局３０４によって送信されるアクセス許可信号の効率的な電力制御を可能にするために、ターゲット基地局３０４に供給され得る。その上、ＣＱＩ値は、様々な基地局（たとえば、ターゲット基地局３０４、（１つまたは複数の）異種基地局３０６、…）からの収集信号の測定値に基づいて、モバイルデバイス３０２によって（たとえば、干渉評価コンポーネント３０８、ＣＱＩ分析コンポーネント（図示せず）、…によって）生成され得る。
【００５０】
アクセスプローブ生成コンポーネント３１０は、干渉評価コンポーネント３０８によって識別された優勢な干渉物の存在または不在をアクセスプローブ中で示すことができる。優勢な干渉物の存在または不在のその指示は、アクセスプローブ生成コンポーネント３１０によって生じられたアクセスプローブの一部として実質的に任意の方法で搬送され得る。たとえば、アクセスプローブ生成コンポーネント３１０は、明示的フラグ（たとえば、１ビット、２ビット以上、…）を設定することができ、ここで、明示的フラグの値は、干渉評価コンポーネント３０８によって優勢な干渉物の存在が識別されたか否かについての関数である。別の例によれば、アクセスプローブ生成コンポーネント３１０は、干渉評価コンポーネント３０８によって識別された観測された干渉レベルの明示的指示を、出力されるアクセスプローブのペイロード中に含めることができる。さらなる一例によれば、優勢な干渉物の存在を知らせるために１つまたは複数のＣＱＩ値が予約され得；したがって、アクセスプローブ生成コンポーネント３１０は、優勢な干渉物の存在を示すために、予約されたＣＱＩ値をアクセスプローブのペイロード中に含めることができる。ただし、請求する主題はそのように限定されないことが諒解されるべきである。
【００５１】
アクセスプローブ生成コンポーネント３１０は、様々なシナリオにおいてアクセスプローブを生じることができる。たとえば、アクセスプローブ生成コンポーネント３１０は、初期アクセスの結果としてアクセスプローブを生成することができる。この例に従うと、モバイルデバイス３０２は、自力でアイドルモードから解除し、ターゲット基地局３０４に接続することを選択することができ、したがって、アクセスプローブ生成コンポーネント３１０にターゲット基地局３０４への送信のためのアクセスプローブを生じさせる。別の例によれば、アクセスプローブ生成コンポーネント３１０は、モバイルデバイス３０２によって開始されたハンドオフの結果としてアクセスプローブを生じることができ、ここで、モバイルデバイス３０２は、（１つまたは複数の）異種基地局３０６のうちの１つに接続され、ターゲット基地局３０４に接続すること（たとえば、ハンドオーバ、…）が有益であることを検出する。さらなる例として、アクセスプローブ生成コンポーネント３１０は、無線リンク障害に基づいてアクセスプローブを生成することができ；したがって、モバイルデバイス３０２が（１つまたは複数の）異種基地局３０６のうちの１つに接続され、（たとえば、無線状態の変化、…により）その接続が機能しない場合、モバイルデバイス３０２は、アクセスプローブ生成コンポーネント３１０によって生じられたアクセスプローブをターゲット基地局３０４に送信することによってターゲット基地局３０４に接続しようと試みることができる。別の例によれば、アクセスプローブ生成コンポーネント３１０は、ネットワーク開始型ハンドオフの結果としてアクセスプローブを生じることができる。この例によれば、モバイルデバイス３０２は、（１つまたは複数の）異種基地局３０６のうちに１つに接続され得る。その後、ネットワークは、モバイルデバイス３０２がターゲット基地局３０４に接続することが有益であることを検出し、そのようなターゲット基地局３０４にアクセスするようにモバイルデバイス３０２に指示することができ；ネットワークによるその指示に応答して、アクセスプローブ生成コンポーネント３１０は、ターゲット基地局３０４への送信のためのアクセスプローブを生じることができる。
【００５２】
ターゲット基地局３０４は、モバイルデバイス３０２によって送信されたアクセスプローブを受信することができる。ターゲット基地局３０４は、信号干渉識別コンポーネント３１２と、リソース割振りコンポーネント３１４と、アクセス許可送信コンポーネント３１６と、をさらに含むことができる。信号干渉識別コンポーネント３１２は、モバイルデバイス３０２が優勢な干渉物の存在下にあることをアクセスプローブ生成コンポーネント３１０が示したかどうかを認識するために、受信されたアクセスプローブを評価することができる。一例によれば、信号干渉識別コンポーネント３１２は、受信されたアクセスプローブ中に含まれる明示的フラグが、優勢な干渉物の存在または不在を知らせることに対応する値に設定されているかどうかを認識することができる。さらなる一例によれば、信号干渉識別コンポーネント３１２は、アクセスプローブのペイロード中で搬送される観測された干渉レベルの明示的指示を認識し、観測された干渉レベルに基づいて、優勢な干渉物が存在するかどうかを解読することができる。さらに、信号干渉識別コンポーネント３１２は、優勢な干渉物の存在を示す予約されたＣＱＩ値が、受信されたアクセスプローブのペイロード中に含まれているかどうかを識別することができる。しかし、請求する主題は、上記の例に限定されないことが企図される。
【００５３】
その上、リソース割振りコンポーネント３１４は、信号干渉識別コンポーネント３１２によって認識された（１つまたは複数の）干渉関係指示に応じて、モバイルデバイス３０２と通信するためにターゲット基地局３０４によって利用されるべき（１つまたは複数の）リソースを選択することができる。たとえば、（１つまたは複数の）選択されたリソースは、受信されたアクセスプローブに応答してアクセス許可をモバイルデバイス３０２に送信するために採用され得る。追加または代替として、（１つまたは複数の）選択されたリソースは、後続のアクセス関係メッセージをモバイルデバイス３０２に送信するために利用され得る。
【００５４】
リソース割振りコンポーネント３１４は、アクセス許可信号および／または後続のアクセス交換を送信するために採用されるべき（１つまたは複数の）時間周波数リソースを決定するために、信号干渉識別コンポーネント３１２によって識別された（１つまたは複数の）指示を使用することができる。たとえば、リソース割振りコンポーネント３１４は、アクセスプローブから認識された（１つまたは複数の）指示に応じて（１つまたは複数の）リソースを割り当てるための所定のルールを利用することができる。別の例によれば、リソース割振りコンポーネント３１４は、ターゲット基地局３０４のために予約されたリソースおよび／またはターゲット基地局３０４が属する電力クラスに関係して、ターゲット基地局３０４が別のネットワークエンティティおよび／または（１つまたは複数の）隣接基地局（たとえば、（１つまたは複数の）異種基地局３０６、…）から受信したおよび／またはそこに送信した情報に基づいて、（１つまたは複数の）リソースを選択することができる。この例に従うと、その情報は、バックホールを介して通信され得る。
【００５５】
異種ネットワークでは、高電力基地局（たとえば、マクロセル基地局、…）は、高電力基地局のカバレージエリア内のより低い電力の基地局（たとえば、フェムトセル基地局、ピコセル基地局、…）のためのいくつかの時間周波数リソース（たとえば、同期ネットワーク中のいくつかのインターレース、非同期ネットワーク中のいくつかのサブバンド、…）を予約することができる。同様に、他のリソース上でのマクロセル基地局の順方向リンク送信が、制限付きフェムトセル基地局の近傍にあるマクロセル基地局と通信する（１つまたは複数の）モバイルデバイスに到達することを許可するために、制限付き関連付けをもつフェムトセル基地局の送信が、リソースのあるセットに制限されることがある。したがって、モバイルデバイス３０２がダウンリンク上の優勢な干渉物の存在下にあることを識別すると、リソース割振りコンポーネント３１４は、アクセス許可信号および／または後続のアクセス交換の送信のために利用されるべき予約されたリソースを割り当てることができ、それによって、それらの意図された宛先に到達するそのようなメッセージを向上させる。
【００５６】
その上、アクセス許可送信コンポーネント３１６は、リソース割振りコンポーネント３１４によって割り当てられたリソースを利用してアクセス許可信号を送信することができる。さらに、アクセス許可送信コンポーネント３１６は、リソース割振りコンポーネント３１４によって割り当てられたリソースを採用して後続のアクセス関係メッセージを送信することができる。
【００５７】
ある例示的なシナリオによれば、干渉評価コンポーネント３０８は、制限付き関連付けをもつフェムトセル基地局（たとえば、（１つまたは複数の）異種基地局３０６のうちの１つ、…）が、それに極めて近接しており、モバイルデバイス３０２に対するダウンリンク上の優勢な干渉物であることを認識することができる。したがって、アクセスプローブ生成コンポーネント３１０は、対応する情報をアクセスプローブのペイロード中に組み込むことによって、優勢な干渉物であるそのフェムトセル基地局の存在を示すことができる。そのような情報は、いくつかの方法で搬送され得、その例は、明示的フラグ、観測された干渉レベルの明示的指示、またはアクセスプローブのペイロード中に１つまたは複数の予約されたＣＱＩ値を含めることを含む。この場合、モバイルデバイス３０２は、制限付き関連付けフェムトセル基地局（たとえば、（１つまたは複数の）異種基地局３０６のうちの１つ、…）の近くにあることがあり、マクロセル基地局であり得るターゲット基地局３０４にアクセスすることができる。さらに、モバイルデバイス３０２は、優勢干渉状況をターゲット基地局３０４に示すために、上記の指示のうちの１つまたは複数を使用することができる。そのような指示は、制限付き関連付けフェムトセル基地局が送信することを許可されないリソース上でアクセス許可信号および／または後続のアクセス関係メッセージを送信するための、ターゲット基地局３０４に対する要求として働くことができる。ただし、請求する主題は、上記の例示的なシナリオに限定されないことが諒解されるべきである。
【００５８】
さらなる例示的なシナリオ（たとえば、範囲拡大シナリオ、…）によれば、モバイルデバイス３０２は、低電力基地局（たとえば、ターゲット基地局３０４、フェムトセル基地局、ピコセル基地局、…）に対してより小さい経路損失を有することがあり、そのような低電力基地局にアクセスしようと試みることがある。しかしながら、高電力基地局（たとえば、（１つまたは複数の）異種基地局３０６のうちの１つ、マクロセル基地局、…）からの順方向リンク信号が、干渉評価コンポーネント３０８によって認識された低電力基地局からの順方向リンク信号よりも著しく強いことがある。この場合、高電力基地局の順方向リンク送信は、低電力基地局（たとえば、ターゲット基地局３０４、…）からのアクセス許可信号に対して激しい干渉を引き起こすことがある。したがって、アクセスプローブ生成コンポーネント３１０は、明示的フラグ、観測された干渉レベルの明示的指示、または１つまたは複数の予約されたＣＱＩ値、をアクセスプローブのペイロード中に含めることによって、この情報を搬送することができる。モバイルデバイス３０２は、それによってアクセスされている低電力基地局（たとえば、ターゲット基地局３０４、…）にこの状況を知らせるために、これらの指示のうちの１つまたは複数を使用することができる。それらの指示は、その低電力基地局が（１つまたは複数の）高電力基地局によって（１つまたは複数の）低電力基地局のために予約されたリソース上でアクセス許可信号および／または後続のアクセス関係メッセージを送信するという要求として働くことができる。しかし、請求する主題は、上記の例示的なシナリオに限定されないことが企図される。
【００５９】
次に図４を参照すると、ワイヤレス通信環境においてダウンリンクアクセス関係送信のために利用する制御リソース情報をフィードバックする例示的なシステム４００が示されている。システム４００は、モバイルデバイス３０２と、ターゲット基地局３０４と、（１つまたは複数の）異種基地局３０６と、を含む。モバイルデバイス３０２は、ダウンリンク干渉レベルを分析することができる干渉評価コンポーネント３０８をさらに含むことができる。たとえば、干渉評価コンポーネント３０８は、ターゲット基地局３０４および／または（１つまたは複数の）異種基地局３０６からの送信に関連するダウンリンク信号強度を監視することができる。その上、干渉評価コンポーネント３０８は、（１つまたは複数の）異種基地局３０６のうちの１つまたは複数がモバイルデバイス３０２に対する優勢な干渉物であるかどうかを認識することができる。さらに、モバイルデバイス３０２は、干渉評価コンポーネント３０８によって得られた干渉関係情報に基づいてアクセスプローブを生じることができるアクセスプローブ生成コンポーネント３１０を含むことができる。アクセスプローブ生成コンポーネント３１０は、たとえば、アクセスプローブのペイロードの一部として干渉関係情報を搬送することができる。
【００６０】
その上、モバイルデバイス３０２は、特定の基地局をモバイルデバイス３０２のサービング基地局であるものとして選択することができるターゲット選択コンポーネント４０２を含むことができる。したがって、ターゲット選択コンポーネント４０２は、可能な基地局のセット（たとえば、可能な基地局のセットは、（１つまたは複数の）異種基地局３０６、…をも含むことができる）からターゲット基地局３０４を選択することができる。ターゲット選択コンポーネント４０２は、受信ダウンリンク信号電力（たとえば、最大受信ダウンリンク信号電力、…）、経路損失（たとえば、最小経路損失、…）などに応じてターゲット基地局３０４を選択することができる。ターゲット選択コンポーネント４０２を用いて選択を生じると、モバイルデバイス３０２は、（たとえば、アクセスプローブ生成コンポーネント３１０によって生じられたアクセスプローブを送信することによって、…）ターゲット基地局３０４にアクセスすることを開始することができる。図示されていないが、別の例によれば、モバイルデバイス３０２のサービング基地局としてのターゲット基地局３０４の選択は、アクセスネットワークによって実行され得；その後、そのような選択はモバイルデバイス３０２に頒布され得、それに応答して、ターゲット基地局３０４にアクセスすることが実行され得る。
【００６１】
さらに、モバイルデバイス３０２は、可能なダウンリンク制御リソースのセット上で観測されたダウンリンク干渉を分析するダウンリンクリソース選択コンポーネント４０４を含むことができる。その分析に基づいて、ダウンリンクリソース選択コンポーネント４０４は、そのセットから、より低い観測されたダウンリンク干渉を有するダウンリンク制御リソースを選択することができる。したがって、一例によれば、モバイルデバイス３０２は、（１つまたは複数の）異種基地局３０６の近くに位置すると同時にマクロセル基地局であり得るターゲット基地局３０４にアクセスしようと試みることができ、（１つまたは複数の）異種基地局３０６はフェムトセル基地局を含むことができる。代替的に、モバイルデバイス３０２は、（１つまたは複数の）異種基地局３０６の範囲拡大領域（たとえば、マクロセル基地局、…の範囲拡大領域）中にあると同時に低電力基地局（たとえば、フェムトセル基地局、ピコセル基地局、…）であり得るターゲット基地局３０４にアクセスしようと試みることができる。いずれのシナリオの下でも、ダウンリンクリソース選択コンポーネント４０４は、それがターゲット基地局３０４からアクセス許可信号および／または後続のアクセス交換を受信することを望むためのリソース（たとえば、時間インターレース、周波数サブバンド、…）を識別することができる。ダウンリンクリソース選択コンポーネント４０４は、モバイルデバイス３０２の（１つまたは複数の）優勢な干渉物基地局（たとえば、（１つまたは複数の）異種基地局３０６のうちの１つまたは複数、…）から受信され得る予約されたリソース情報に基づいてリソースを選択することができる。別の例によれば、ダウンリンクリソース選択コンポーネント４０４は、様々な時間周波数リソース上で観測された干渉の測定値に応じてリソースを選択することができる。その上、その選択されたリソースは、アクセスプローブ生成コンポーネント３１０によって生じられた、ターゲット基地局３０４に送信されるアクセスプローブの一部として含まれ得る。ターゲット基地局３０４は、この情報を、場合によっては他の機構を介して（たとえば、バックホールを介して、…）収集することができる他の情報とともに利用して、アクセス許可信号および／または後続のアクセス交換がターゲット基地局３０４によってモバイルデバイス３０２に送信されるためのリソースを選択することができる。
【００６２】
図５〜図７を参照すると、ワイヤレス通信環境において優勢な干渉物の存在または不在をターゲットサービング基地局（たとえば、ターゲット基地局、…）に知らせることに関係する方法が示されている。説明を簡単にするために、それらの方法は、一連の行為として図示され説明されるが、いくつかの行為は、１つまたは複数の実施形態によれば、本明細書で図示され説明される順序とは異なる順序で、および／または他の行為と同時に行われるので、それらの方法は、行為の順序によって限定されないことが理解および諒解されるべきである。たとえば、方法は、状態図など、一連の相互に関連する状態または事象として代替的に表現され得ることを当業者ならば理解し、諒解するであろう。さらに、１つまたは複数の実施形態による方法を実装するために、図示されるすべての行為が必要とされないことがある。
【００６３】
図５を参照すると、ワイヤレス通信環境において優勢な干渉物の存在を示すことを可能にする方法５００が示されている。５０２において、優勢な干渉物がモバイルデバイスの近傍内に存在するかどうかが識別され得る。優勢な干渉物は、モバイルデバイスによって監視された著しいダウンリンク干渉を引き起こす基地局として認識され得る。たとえば、非サービング基地局から得られた信号に対応する受信ダウンリンク信号電力が、ターゲットサービング基地局から受信された信号に対応する受信ダウンリンク信号電力よりも強いことを検出したときは、優勢な干渉物の存在が識別され得る。代替的に、ターゲットサービング基地局から受信された信号が、最も高い受信ダウンリンク信号電力に関連付けられていることが検出されたときは、優勢な干渉物の不在が認識され得る。一例によれば、モバイルデバイスが接続しようと試みるターゲットサービング基地局が、非サービング基地局（たとえば、マクロセル基地局、…）と比較してより低い電力の基地局（たとえば、フェムトセル基地局、ピコセル基地局、…）であり、モバイルデバイスが、非サービング基地局と比較して、そのより低い電力の基地局に対してより小さい経路損失を有するとき、優勢な干渉物が存在すると識別され得る。さらに、この例に従うと、非サービング基地局からモバイルデバイスによって受信されたダウンリンク信号が、そのより低い電力の基地局から受信されたダウンリンク信号よりも著しく強いことがある。別の例によれば、モバイルデバイスが、最も強い対応するチャネルをもつ（たとえば、モバイルデバイスがアクセスするのを禁止されている、…）制限付き関連付けフェムトセル基地局の近くにあり、モバイルデバイスが異種基地局（たとえば、マクロセル基地局、…）にアクセスしようと試みているとき、優勢な干渉物の存在が認識され得る。
【００６４】
５０４において、優勢な干渉物の存在に関係する情報を含むアクセスプローブが生成され得る。たとえば、優勢な干渉物の存在に関係する情報は、アクセスプローブのペイロードの少なくとも一部中で搬送され得る。一例によれば、アクセスプローブのペイロード中の明示的フラグ（たとえば、１ビット、２ビット以上、…）が、優勢な干渉物の存在または不在に応じて設定され得る。別の例によれば、観測された干渉レベルの明示的指示がアクセスプローブのペイロード中に含まれ得る。さらなる例として、優勢な干渉物の存在を知らせるために、予約されたチャネル品質インジケータ（ＣＱＩ）値がアクセスプローブのペイロード中に含まれ得、一方、優勢な干渉物の不在を示すために、（たとえば、ある測定値、…に対応する）予約されていないＣＱＩ値がアクセスプローブのペイロード中に組み込まれ得る。別の例によれば、潜在的なリソースのセットに関連するダウンリンク干渉レベルが測定され得、測定されたダウンリンク干渉レベルに基づいて、そのセットから少なくとも１つのリソースが選択され得（たとえば、そのセットからのその少なくとも１つのリソースは、低いダウンリンク干渉レベルに関連付けられていることが監視され得る）、さらに、アクセスプローブは、モバイルデバイスがアクセス許可および／または後続のアクセス関係メッセージを受信することを選好するための、その選択された少なくとも１つのリソースを指定するインジケータを含むことができる。
【００６５】
５０６において、アクセスプローブは、アクセス手順を開始するために、ターゲットサービング基地局に送信され得る。例として、ターゲットサービング基地局は、たとえば、最大受信ダウンリンク信号電力、最小経路損失など、最適性基準に基づいて、モバイルデバイスによって選択され得る。さらなる一例によれば、ターゲットサービング基地局は、アクセスネットワークによって選択され得、そのような選択に関係するブロードキャストされた指示がモバイルデバイスによって受信され得る。別の例によれば、アクセスプローブは、モバイルデバイスによる初期アクセス、モバイルデバイスによって開始されたハンドオフ、無線リンク障害またはネットワーク開始型ハンドオフ、のうちの少なくとも１つの結果として、ターゲットサービング基地局への送信のために生成され得る。アクセスプローブに応答して、アクセス許可および／または後続のアクセス関係メッセージが、ターゲットサービング基地局から受信され得る。その上、アクセスプローブ中に含まれる優勢な干渉物の存在に関係する情報に応じて、ダウンリンクを介してアクセス許可および／または後続のアクセス関係メッセージを送信するために利用されるリソースが、ターゲットサービング基地局によって選択され得る。
【００６６】
次に図６を参照すると、ワイヤレス通信環境において優勢な干渉物の存在に関係するフィードバックを利用することを可能にする方法６００が示されている。６０２において、アクセス手順を開始するモバイルデバイスからアクセスプローブが受信され得る。アクセスプローブは、たとえば、チャネル品質インジケータ（ＣＱＩ）値を含むペイロードを搬送することができる。６０４において、モバイルデバイスが優勢な干渉物の存在を検出したかどうかを識別するために、アクセスプローブ中に含まれる情報が評価され得る。優勢な干渉物は、モバイルデバイスに対して著しいダウンリンク干渉を引き起こす非サービング基地局であり得る。さらに、その情報は、アクセスプローブのペイロードの少なくとも一部中に含まれ得る。たとえば、優勢な干渉物の存在または不在を認識するために、アクセスプローブのペイロード中の明示的フラグの値（たとえば、１ビット、２ビット以上、…）が見分けられ得る。別の例によれば、観測された干渉レベルの明示的指示がアクセスプローブのペイロードから得られることができ、その観測された干渉レベルに基づいて優勢な干渉物の存在または不在が認識されることができる。別の例によれば、ペイロード中に含まれるＣＱＩ値が分析され得、それによって、ペイロード中に含まれるＣＱＩ値が予約されたＣＱＩ値に一致したときは、優勢な干渉物の存在が認識され得、ペイロード中に含まれるＣＱＩ値が予約されていないＣＱＩ値に一致したときは、優勢な干渉物の不在が識別され得るようになる。さらなる一例として、後続のダウンリンク送信のために利用されることが要求される可能なリソースのセットから選好される１つまたは複数のリソースを指定するインジケータが、アクセスプローブ中に含まれる情報から解読され得る。
【００６７】
６０６において、モバイルデバイスが優勢な干渉物の存在を検出したかどうかに少なくとも部分的に基づいて、リソースが選択され得る。そのリソースは時間周波数リソース（たとえば、時間インターレース、周波数サブバンド、…）であり得る。たとえば、そのリソースは、所定のルールに基づいて選択され得る。別の例によれば、そのリソースは、異種ネットワークエンティティまたは隣接基地局とのネゴシエーションに基づいて選択され得る。さらなる一例によれば、そのリソースは、アクセスプローブ中でモバイルデバイスによって指定された選好される１つまたは複数のリソースに少なくとも部分的に基づいて選択され得る。６０８において、選択されたリソースを利用してアクセス許可信号または後続のアクセス関係メッセージのうちの少なくとも１つがモバイルデバイスに送信され得る。アクセス許可信号は、アクセスプローブに応答することがあり得、後続のアクセス交換のためのリソースを示すことができる。
【００６８】
図７を参照すると、ワイヤレス通信環境において干渉関係情報に基づいてダウンリンク送信のために利用する１つまたは複数のリソースを指定することを可能にする方法７００が示されている。７０２において、モバイルデバイスがアクセスプローブに応答してアクセス許可信号または後続のアクセス関係メッセージのうちの少なくとも１つを受信することを選好するための潜在的なリソースのセットから、ダウンリンク干渉に関係する情報に応じて少なくとも１つのリソースが選択され得る。たとえば、少なくとも１つのリソースの選択を実行するために利用され得る、ダウンリンク干渉に関係する情報を生じるために、潜在的なリソースのセットに関連するダウンリンク干渉レベルが測定され得る。この例に従うと、モバイルデバイスは、そのセット中の様々な潜在的なリソース上での干渉を直接測定して、後続の通信に好適なリソースのサブセットを判断することができる。別の例によれば、モバイルデバイスは、より低い電力の基地局（たとえば、フェムトセル基地局、ピコセル基地局、…）のために予約されたリソースのサブセットに関係するブロードキャストされた情報を受信することができる。この例によれば、モバイルデバイスは、予約されたリソースのサブセットに関係するブロードキャストされた情報をマクロセル基地局および／またはより低い電力の基地局から受信することができる。さらに、予約されたリソースのサブセットに関係するその受信された情報は、少なくとも１つのリソースを選択するために利用され得る。たとえば、マクロセル基地局が、より低い電力の基地局による使用のために取っておかれたリソースを識別する情報をブロードキャストした場合、モバイルデバイスは、それに基づいて少なくとも１つのリソースを選択することができる。別の例によれば、モバイルデバイスがより低い電力の基地局からの干渉を受ける場合、モバイルデバイスは、より低い電力の基地局がリソースのどのサブセットを使用しているか（および／または、より低い電力の基地局がどのリソースを取っておいているか）を判断するために、より低い電力の基地局からブロードキャストチャネルを読み取ることができ、上記選択は、そのような情報に少なくとも部分的に基づいて実行され得る。
【００６９】
７０４において、選択された少なくとも１つのリソースを識別するインジケータを含むアクセスプローブが生成され得る。たとえば、そのインジケータは、アクセスプローブ中で符号化されたインターレース識別子（ＩＤ）であり得る。インターレースＩＤは、たとえば、干渉がないインターレースを識別することができる。さらに、インターレースＩＤは、アクセス許可信号および／または後続のアクセス関係メッセージのために使用されることが選好されるインターレースを識別することができる。その上、インターレースはサブフレームの周期セットを含むことができ；たとえば、インターレースはＸごとのサブフレームを含むことができ、ここで、Ｘは実質的に任意の整数であり得る（たとえば、Ｘは８であり得、Ｘは８未満の整数であり得、Ｘは８よりも大きい整数であり得、…）。さらに、そのインジケータは、アクセスプローブ中で符号化されたインターレースＩＤのセットであり得、ここで、インターレースＩＤのセットは、干渉がないインターレースのセットに対応する。さらなる一例によれば、アクセスプローブ中に組み込まれるそのインジケータは、アクセス許可信号および／または後続のアクセス関係メッセージを送信するために使用されることが選好され得る、干渉がないと予想される特定のサブフレーム（または複数のサブフレーム）を知らせることができる。追加または代替として、アクセスプローブは、優勢な干渉物の存在に関係する情報を含むことができる。７０６において、アクセスプローブはターゲットサービング基地局に送信され得る。
【００７０】
本明細書で説明される１つまたは複数の態様によれば、ワイヤレス通信環境においてアクセスプローブを介して優勢な干渉物を示すこと関して推論が行われ得ることが諒解されよう。本明細書で使用される「推論する」または「推論」という用語は、概して、事象および／またはデータを介して捕捉された観測のセットから、システム、環境、および／またはユーザの状態について推理する、またはその状態を推論するプロセスを指す。推論は、特定のコンテキストまたはアクションを識別するために採用され得、あるいは、たとえば、状態の確率分布を生成することができる。推論は、確率的、すなわち、データおよび事象の考察に基づく当該の状態の確率分布の計算であり得る。推論は、事象および／またはデータのセットからより高いレベルの事象を構成するために採用される技法を指すこともある。そのような推論は、事象が時間的に緊切して相関されているか否かにかかわらず、ならびに事象およびデータが１つまたは複数の事象およびデータの発生源に由来するかどうかにかかわらず、観測された事象および／または記憶された事象データのセットから新しい事象またはアクションの構成という結果になる。
【００７１】
一例によれば、上記で提示された１つまたは複数の方法は、優勢な干渉物が存在するのかまたは不在であるのかを判断することに関係する推論を行うことを含むことができる。さらなる例として、ある基地局をモバイルデバイスのターゲットサービング基地局であるものとして選択することに関係する推論が行われ得る。上記の例は、本質的に例示的であり、本明細書で説明される様々な実施形態および／または方法に関して行われ得る推論の回数またはそのような推論が行われる様式を限定することが意図されるわけではないことが諒解されよう。
【００７２】
図８は、ワイヤレス通信システムにおいて優勢な干渉物の存在または不在に関する通知をターゲットサービング基地局に供給するモバイルデバイス８００の図である。モバイルデバイス８００は、たとえば、受信アンテナ（図示せず）から信号を受信し、受信信号に対して典型的なアクション（たとえば、フィルタ処理、増幅、ダウンコンバートなど）を実行し、サンプルを得るために調整された信号をデジタル化する受信機８０２を備える。受信機８０２は、たとえば、ＭＭＳＥ受信機であり得、受信シンボルを復調し、復調されたシンボルをチャネル推定のためにプロセッサ８０６に供給することができる復調器８０４を備えることができる。プロセッサ８０６は、受信機８０２によって受信された情報の分析および／または送信機８１６による送信のための情報の生成に専用のプロセッサ、モバイルデバイス８００の１つまたは複数のコンポーネントを制御するプロセッサ、ならびに／あるいは受信機８０２によって受信された情報の分析、送信機８１６による送信のための情報の生成、およびモバイルデバイス８００の１つまたは複数のコンポーネントの制御を行うプロセッサであり得る。
【００７３】
モバイルデバイス８００は、メモリ８０８をさらに備えることができ、メモリ８０８は、プロセッサ８０６に動作可能に結合され、送信されるべきデータ、受信されたデータ、および本明細書に記載の様々なアクションおよび機能を実行することに関係する他の適切な情報を記憶することができる。メモリ８０８は、たとえば、ダウンリンク干渉レベルの評価に基づいて優勢な干渉物の存在を識別することに関連するプロトコルおよび／またはアルゴリズムを記憶することができる。さらに、メモリ８０８は、アクセスプローブの一部として優勢な干渉物の存在または不在に関係する情報をターゲットサービング基地局にフィードバックすることに関連するプロトコルおよび／またはアルゴリズムを記憶することができる。
【００７４】
本明細書で説明されるデータストア（たとえば、メモリ８０８）は、揮発性メモリまたは不揮発性メモリのいずれかであり得、あるいは揮発性メモリと不揮発性メモリの両方を含むことができることが諒解されよう。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態が利用可能である。主題のシステムおよび方法のメモリ８０８は、これらおよび他の適切なタイプのメモリを、これらに限定されることなく、備えることが意図される。
【００７５】
プロセッサ８０６は、干渉評価コンポーネント８１０および／またはアクセスプローブ生成コンポーネント８１２に動作可能に結合され得る。干渉評価コンポーネント８１０は、図３の干渉評価コンポーネント３０８と実質的に同様であり得、および／またはアクセスプローブ生成コンポーネント８１２は、図３のアクセスプローブ生成コンポーネント３１０と実質的に同様であり得る。干渉評価コンポーネント８１０は、本明細書で説明されるように優勢な干渉物が存在するのかまたは不在であるのかを認識することができる。その上、アクセスプローブ生成コンポーネント８１２は、優勢な干渉物の存在または不在に関係する情報を含むアクセスプローブを生じることができる。たとえば、アクセスプローブ生成コンポーネント８１２は、優勢な干渉物がアクセスプローブのペイロード中に存在することが検出されたかどうかを知らせることができ、アクセスプローブは、アクセス手順を開始するためにターゲットサービング基地局に送信され得る。その上、応答するアクセス許可および／または後続のアクセス関係メッセージが、アクセスプローブ中に含まれる情報に応じて選択された（１つまたは複数の）リソースを介してモバイルデバイス８００によってターゲットサービング基地局から得られ得る。図示されていないが、モバイルデバイス８００は、（たとえば、図４のターゲット選択コンポーネント４０２、…と実質的に同様の）ターゲット選択コンポーネントおよび／または（たとえば、図４のダウンリンクリソース選択コンポーネント４０４、…と実質的に同様の）ダウンリンクリソース選択コンポーネントをさらに含むことができることが企図される。モバイルデバイス８００は、変調器８１４と、データ、信号などを基地局に送信する送信機８１６とをまたさらに備える。プロセッサ８０６とは別個のものとして示されているが、干渉評価コンポーネント８１０、アクセスプローブ生成コンポーネント８１２および／または変調器８１４は、プロセッサ８０６またはいくつかのプロセッサ（図示されず）の一部であり得ることが諒解されるべきである。
【００７６】
図９は、ワイヤレス通信環境において優勢な干渉物の存在に関係するフィードバックを得るシステム９００の図である。システム９００は、基地局９０２（たとえば、アクセスポイント、…）を備え、基地局９０２は、複数の受信アンテナ９０６を介して１つまたは複数のモバイルデバイス９０４から（１つまたは複数の）信号を受信する受信機９１０と、送信アンテナ９０８を介して１つまたは複数のモバイルデバイス９０４に送信する送信機９２２と、を有する。受信機９１０は、受信アンテナ９０６から情報を受信することができ、受信された情報を復調する復調器９１２に動作可能に結合される。復調されたシンボルは、図８に関して上述されたプロセッサと同様であり得るプロセッサ９１４によって分析され、プロセッサ９１４は、（１つまたは複数の）モバイルデバイス９０４に送信されるべきデータまたはそこから受信されるべきデータ、および／あるいは本明細書に記載の様々なアクションおよび機能を実行することに関係する他の適切な情報を記憶するメモリ９１６に結合される。プロセッサ９１４は、信号干渉識別コンポーネント９１８にさらに結合され、信号干渉識別コンポーネント９１８は、優勢な干渉物が存在するかまたは不在であることをモバイルデバイス９０４が示したかどうかを検出するために、モバイルデバイス９０４から受信されたアクセスプローブを分析する。信号干渉識別コンポーネント９１８は、図３の信号干渉識別コンポーネント３１２と実質的に同様であり得ることが企図される。その上、図示されていないが、基地局９０２は、（たとえば、図３のリソース割振りコンポーネント３１４、…と実質的に同様の）リソース割振りコンポーネントおよび／または（たとえば、図３のアクセス許可送信コンポーネント３１６、…と実質的に同様の）アクセス許可送信コンポーネントをさらに含むことができることが諒解されるべきである。基地局９０２は、変調器９２０をさらに含むことができる。変調器９２０は、上述の説明に従って、アンテナ９０８を介した（１つまたは複数の）モバイルデバイス９０４への送信機９２２による送信のためにフレームを多重化することができる。プロセッサ９１４とは別個のものとして示されているが、信号干渉識別コンポーネント９１８および／または変調器９２０は、プロセッサ９１４またはいくつかのプロセッサ（図示されず）の一部であり得ることが諒解されるべきである。
【００７７】
図１０は、例示的なワイヤレス通信システム１０００を示す。ワイヤレス通信システム１０００は、簡潔のために、１つの基地局１０１０と、１つのモバイルデバイス１０５０と、を示す。ただし、システム１０００は、２つ以上の基地局および／または２つ以上のモバイルデバイスを含むことができ、追加の基地局および／またはモバイルデバイスは、以下で説明される例示的な基地局１０１０およびモバイルデバイス１０５０と実質的に同様または異なるものであり得ることが諒解されるべきである。さらに、基地局１０１０および／またはモバイルデバイス１０５０は、それらの間のワイヤレス通信を可能にするために、本明細書で説明されるシステム（図１〜図４、図８〜図９、および図１１〜図１３）および／または方法（図５〜図７）を採用することができることが諒解されるべきである。
【００７８】
基地局１０１０において、いくつかのデータストリームのトラフィックデータがデータソース１０１２から送信（ＴＸ）データプロセッサ１０１４に供給される。一例によれば、各データストリームは、それぞれのアンテナを介して送信され得る。ＴＸデータプロセッサ１０１４は、トラフィックデータストリーム用に選択された特定の符号化方式に基づいて、そのデータストリームをフォーマット化し、符号化し、インタリーブして、符号化データを与える。
【００７９】
各データストリームの符号化データは、直交周波数分割多重（ＯＦＤＭ）技法を使用してパイロットデータと多重化され得る。追加または代替として、パイロットシンボルは、周波数分割多重化（ＦＤＭ）、時分割多重化（ＴＤＭ）、または符号分割多重化（ＣＤＭ）され得る。パイロットデータは、一般に、知られている方法で処理される知られているデータパターンであり、チャネル応答を推定するためにモバイルデバイス１０５０において使用され得る。各データストリームの多重化されたパイロットおよび符号化データは、そのデータストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（たとえば、シンボルマッピング）されて、変調シンボルを与えることができる。各データストリームのデータレート、符号化、および変調は、プロセッサ１０３０によって実行されるかまたは与えられる命令によって判断され得る。
【００８０】
データストリームの変調シンボルは、ＴＸ  ＭＩＭＯプロセッサ１０２０に供給され得、ＴＸ  ＭＩＭＯプロセッサ１０２０は、（たとえば、ＯＦＤＭ用に）変調シンボルをさらに処理することができる。次いで、ＴＸ  ＭＩＭＯプロセッサ１０２０は、ＮT個の変調シンボルストリームをＮT個の送信機（ＴＭＴＲ）１０２２ａ〜１０２２ｔに供給する。様々な実施形態では、ＴＸ  ＭＩＭＯプロセッサ１０２０は、データストリームのシンボルと、シンボルが送信されている元のアンテナと、にビームフォーミング重みを適用する。
【００８１】
各送信機１０２２は、１つまたは複数のアナログ信号を与えるために、それぞれのシンボルストリームを受信し、処理し、さらに、ＭＩＭＯチャネルを介して送信するのに適した変調信号を与えるために、それらのアナログ信号を調整（たとえば、増幅、フィルタ処理、およびアップコンバート）する。さらに、送信機１０２２ａ〜１０２２ｔからのＮT個の変調信号は、それぞれＮT個のアンテナ１０２４ａ〜１０２４ｔから送信される。
【００８２】
モバイルデバイス１０５０では、送信された変調信号は、ＮR個のアンテナ１０５２ａ〜１０５２ｒによって受信され、各アンテナ１０５２からの受信信号は、それぞれの受信機（ＲＣＶＲ）１０５４ａ〜１０５４ｒに供給される。各受信機１０５４は、サンプルを与えるために、それぞれの信号を調整（たとえば、フィルタ処理、増幅、およびダウンコンバート）し、調整された信号をデジタル化して、さらに、対応する「受信」シンボルストリームを与えるために、それらのサンプルを処理する。
【００８３】
ＲＸデータプロセッサ１０６０は、特定の受信機処理技法に基づいてＮR個の受信機１０５４からＮR個の受信シンボルストリームを受信し、処理して、ＮT個の「検出」シンボルストリームを与えることができる。ＲＸデータプロセッサ１０６０は、各検出シンボルストリームを復調し、デインタリーブし、復号して、データストリームのトラフィックデータを復元することができる。ＲＸデータプロセッサ１０６０による処理は、基地局１０１０においてＴＸ  ＭＩＭＯプロセッサ１０２０およびＴＸデータプロセッサ１０１４によって実行される処理を補足するものである。
【００８４】
プロセッサ１０７０は、上述のように、どのプリコーディング行列を利用すべきかを周期的に判断することができる。さらに、プロセッサ１０７０は、行列インデックス部分とランク値部分とを備える逆方向リンクメッセージを作成することができる。
【００８５】
逆方向リンクメッセージは、通信リンクおよび／または受信データストリームに関する様々なタイプの情報を備えることができる。逆方向リンクメッセージは、データソース１０３６からいくつかのデータストリームのトラフィックデータをも受信するＴＸデータプロセッサ１０３８によって処理され、変調器１０８０によって変調され、送信機１０５４ａ〜１０５４ｒによって調整され、基地局１０１０に戻され得る。
【００８６】
基地局１０１０において、モバイルデバイス１０５０からの変調信号は、モバイルデバイス１０５０によって送信された逆方向リンクメッセージを抽出するために、アンテナ１０２４によって受信され、受信機１０２２によって調整され、復調器１０４０によって復調され、ＲＸデータプロセッサ１０４２によって処理される。さらに、プロセッサ１０３０は、ビームフォーミング重みを判断するためにどのプリコーディング行列を使用すべきかを判断するために、抽出されたメッセージを処理することができる。
【００８７】
プロセッサ１０３０および１０７０は、それぞれ基地局１０１０およびモバイルデバイス１０５０における動作を指示（たとえば、制御、調整、管理など）することができる。それぞれのプロセッサ１０３０および１０７０は、プログラムコードおよびデータを記憶するメモリ１０３２および１０７２に結合され得る。プロセッサ１０３０および１０７０はまた、それぞれ、アップリンクとダウンリンクとに関して周波数推定値とインパルス応答推定値とを導き出すために計算を実行することができる。
【００８８】
本明細書で説明される実施形態は、ハードウェア、ソフトウェア、ファームウェア、ミドルウェア、マイクロコード、またはそれらの任意の組合せで実装され得ることが理解されるべきである。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明される機能を実行するように設計された他の電子ユニット、またはそれらの組合せの中で実装され得る。
【００８９】
実施形態は、ソフトウェア、ファームウェア、ミドルウェアまたはマイクロコード、プログラムコードまたはコードセグメントで実装された場合、記憶コンポーネントなどの機械可読媒体に記憶され得る。コードセグメントは、手順、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージパッシング、トークンパッシング、ネットワーク送信などを含む、適切な手段を使用してパス、フォワーディング、または送信され得る。
【００９０】
ソフトウェア実装の場合、本明細書で説明される技法は、本明細書で説明される機能を実行するモジュール（たとえば、手順、関数など）を用いて実装され得る。ソフトウェアコードは、メモリユニットに記憶され、プロセッサによって実行され得る。メモリユニットは、プロセッサの内部またはプロセッサの外部に実装され得、その場合、当技術分野で知られているように様々な手段によってプロセッサに通信可能に結合され得る。
【００９１】
図１１を参照すると、ワイヤレス通信環境において優勢な干渉物に関係する情報をターゲットサービング基地局にシグナリングすることを可能にするシステム１１００が示されている。たとえば、システム１１００は、モバイルデバイス内に常駐することができる。システム１１００は、機能ブロックを含むものとして表されており、その機能ブロックは、プロセッサ、ソフトウェア、またはそれらの組合せ（たとえば、ファームウェア）によって実装される機能を表す機能ブロックであり得ることが諒解されるべきである。システム１１００は、連携して動作することができる電気コンポーネントの論理グルーピング１１０２を含む。たとえば、論理グルーピング１１０２は、優勢な干渉物の存在または不在のうちの一方を認識するための電気コンポーネント１１０４を含むことができる。その上、論理グルーピング１１０２は、優勢な干渉物の存在または不在に対応するインジケータを搬送するアクセスプローブを生じるための電気コンポーネント１１０６を備えることができる。さらに、論理グルーピング１１０２は、アクセス手順を開始するためにアクセスプローブをターゲットサービング基地局に送信するための電気コンポーネント１１０８を含むことができる。論理グルーピング１１０２はまた、潜在的にアクセス可能な基地局のセットから、そのターゲット基地局にアクセスすることを選択するための電気コンポーネント１１１０を随意に含むことができる。さらに、システム１１００は、電気コンポーネント１１０４、１１０６、１１０８、および１１１０に関連する機能を実行するための命令を保持するメモリ１１１２を含むことができる。メモリ１１１２の外部にあるものとして示されているが、電気コンポーネント１１０４、１１０６、１１０８、および１１１０の１つまたは複数は、メモリ１１１２の内部に存在することができることが理解されるべきである。
【００９２】
図１２を参照すると、ワイヤレス通信環境において優勢干渉物関係フィードバックを利用することを可能にするシステム１２００が示されている。たとえば、システム１２００は、少なくとも部分的に基地局内に常駐することができる。システム１２００は、機能ブロックを含むものとして表されており、その機能ブロックは、プロセッサ、ソフトウェア、またはそれらの組合せ（たとえば、ファームウェア）によって実装される機能を表す機能ブロックであり得ることが諒解されるべきである。システム１２００は、連携して動作することができる電気コンポーネントの論理グルーピング１２０２を含む。たとえば、論理グルーピング１２０２は、モバイルデバイスが優勢な干渉物の存在または不在のうちの一方を検出したかどうかを識別するために、モバイルデバイスから得られたアクセスプローブ中に含まれる情報を分析するための電気コンポーネント１２０４を含むことができる。さらに、論理グルーピング１２０２は、モバイルデバイスが優勢な干渉物の存在または不在を検出したかどうかに少なくとも部分的に基づいて、時間周波数リソースを選択するための電気コンポーネント１２０６を含むことができる。その上、論理グルーピング１２０２は、選択された時間周波数リソースを利用してアクセス許可信号または後続のアクセス関係メッセージのうちの１つまたは複数をモバイルデバイスに送信するための電気コンポーネント１２０８を含むことができる。さらに、システム１２００は、電気コンポーネント１２０４、１２０６、および１２０８に関連する機能を実行するための命令を保持するメモリ１２１０を含むことができる。メモリ１２１０の外部にあるものとして示されているが、電気コンポーネント１２０４、１２０６、および１２０８の１つまたは複数は、メモリ１２１０の内部に存在することができることが理解されるべきである。
【００９３】
図１３を参照すると、ワイヤレス通信環境において（１つまたは複数の）選択されたリソースに関係する情報をターゲットサービング基地局にシグナリングすることを可能にするシステム１３００が示されている。たとえば、システム１３００は、モバイルデバイス内に常駐することができる。システム１３００は、機能ブロックを含むものとして表されており、その機能ブロックは、プロセッサ、ソフトウェア、またはそれらの組合せ（たとえば、ファームウェア）によって実装される機能を表す機能ブロックであり得ることが諒解されるべきである。システム１３００は、連携して動作することができる電気コンポーネントの論理グルーピング１３０２を含む。たとえば、論理グルーピング１３０２は、モバイルデバイスがアクセスプローブに応答してアクセス許可信号または後続のアクセス関係メッセージのうちの少なくとも１つを受信することを選好するための潜在的なリソースのセットから、ダウンリンク干渉に関係する情報に応じて少なくとも１つのリソースを選択するための電気コンポーネント１３０４を含むことができる。その上、論理グルーピング１３０２は、選択された少なくとも１つのリソースを識別するインジケータを含むアクセスプローブを生成するための電気コンポーネント１３０６を備えることができる。さらに、論理グルーピング１３０８は、アクセスプローブをターゲットサービング基地局に送信するための電気コンポーネント１３０８を含むことができる。論理グルーピング１３０２はまた、潜在的なリソースのセットに関連するダウンリンク干渉レベルを測定するための電気コンポーネント１３１０を随意に含むことができる。さらに、システム１３００は、電気コンポーネント１３０４、１３０６、１３０８、および１３１０に関連する機能を実行するための命令を保持するメモリ１３１２を含むことができる。メモリ１３１２の外部にあるものとして示されているが、電気コンポーネント１３０４、１３０６、１３０８、および１３１０の１つまたは複数は、メモリ１３１２の内部に存在することができることが理解されるべきである。
【００９４】
本明細書で開示された実施形態に関して説明された様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェアコンポーネント、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上述のステップおよび／またはアクションの１つまたは複数を実行するように動作可能な１つまたは複数のモジュールを備えることができる。
【００９５】
さらに、本明細書で開示される態様に関して説明される方法またはアルゴリズムのステップおよび／またはアクションは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができる。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐することができる。さらに、ＡＳＩＣはユーザ端末中に常駐することができる。代替として、プロセッサおよび記憶媒体は、ユーザ端末中に個別コンポーネントとして常駐することができる。さらに、いくつかの態様では、方法またはアルゴリズムのステップおよび／またはアクションは、コンピュータプログラム製品に組み込まれ得る、機械可読媒体および／またはコンピュータ可読媒体上のコードおよび／または命令の１つまたは任意の組合せ、あるいはそのセットとして常駐することができる。
【００９６】
１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上で記憶または送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体でよい。限定ではなく例として、そのようなコンピュータ可読媒体は、ＲＡＭ、ＲＯＭ、ＥＥＰＲＯＭ、ＣＤ−ＲＯＭ、あるいは他の光ディスク記憶装置、磁気ディスク記憶装置または他の磁気記憶デバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と呼ばれ得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピーディスク（disk）およびブルーレイディスク（disc）を含み、ディスク（disk）は、通常、データを磁気的に再生し、ディスク（disc）は、通常、データをレーザで光学的に再生する。上記の組合せもコンピュータ可読媒体の範囲内に含まれるべきである。
【００９７】
上記の開示は、例示的な態様および／または実施形態について論じたが、添付の特許請求の範囲によって定義された記載の態様および／または実施形態の範囲から逸脱することなく、様々な変更および改変が本明細書で行われ得ることが留意されるべきである。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用され得る。
【図１】
2011527878.tif 000003
【図２】
2011527878.tif 000004
【図３】
2011527878.tif 000005
【図４】
2011527878.tif 000006
【図５】
2011527878.tif 000007
【図６】
2011527878.tif 000008
【図７】
2011527878.tif 000009
【図８】
2011527878.tif 000010
【図９】
2011527878.tif 000011
【図１０】
2011527878.tif 000012
【図１１】
2011527878.tif 000013
【図１２】
2011527878.tif 000014
【図１３】
2011527878.tif 000015
【手続補正書】
【提出日】平成23年5月12日(2011.5.12)
【手続補正１】
【補正対象書類名】明細書
【補正対象項目名】００３６
【補正方法】変更
【補正の内容】
【００３６】
基地局１０２は、任意のタイプの基地局（たとえば、マクロセル基地局、マイクロセル基地局、ピコセル基地局、フェムトセル基地局、…）であり得ることが企図される。たとえば、最大受信ダウンリンク信号電力、最小経路損失など、いくつかの最適性基準に基づいて、ターゲット基地局（たとえば、基地局１０２、異種基地局（図示せず）、…）が、各モバイルデバイス１１６、１２２によってそのサービング基地局として選択され得る。別の例によれば、各モバイルデバイス１１６、１２２のサービング基地局としてのターゲット基地局の選択は、アクセスネットワークによって実行され、各モバイルデバイス１１６、１２２にそれぞれブロードキャストされ得る。その上、モバイルデバイス１１６、１２２は、通常、アクセスプローブ、アクセスシーケンス、アクセスプリアンブルなどと呼ばれるアクセス信号（以下、アクセスプローブと称する）を送信することによってアクセス手順を介してセルラーネットワークにアクセスすることができる。アクセスプローブは、それぞれのモバイルデバイス１１６、１２２のサービング基地局であるものとして選択されたターゲット基地局を対象とすることがあり得る。さらに、ターゲット基地局は、後続のアクセス交換のためのリソースを示すことができるアクセス許可信号を送信することによって、各モバイルデバイス１１６、１２２のアクセス試行（たとえば、各アクセスプローブの受信、…）に応答することができる。
【手続補正２】
【補正対象書類名】明細書
【補正対象項目名】００９３
【補正方法】変更
【補正の内容】
【００９３】
図１３を参照すると、ワイヤレス通信環境において（１つまたは複数の）選択されたリソースに関係する情報をターゲットサービング基地局にシグナリングすることを可能にするシステム１３００が示されている。たとえば、システム１３００は、モバイルデバイス内に常駐することができる。システム１３００は、機能ブロックを含むものとして表されており、その機能ブロックは、プロセッサ、ソフトウェア、またはそれらの組合せ（たとえば、ファームウェア）によって実装される機能を表す機能ブロックであり得ることが諒解されるべきである。システム１３００は、連携して動作することができる電気コンポーネントの論理グルーピング１３０２を含む。たとえば、論理グルーピング１３０２は、モバイルデバイスがアクセスプローブに応答してアクセス許可信号または後続のアクセス関係メッセージのうちの少なくとも１つを受信することを選好するための潜在的なリソースのセットから、ダウンリンク干渉に関係する情報に応じて少なくとも１つのリソースを選択するための電気コンポーネント１３０４を含むことができる。その上、論理グルーピング１３０２は、選択された少なくとも１つのリソースを識別するインジケータを含むアクセスプローブを生成するための電気コンポーネント１３０６を備えることができる。さらに、論理グルーピング１３０２は、アクセスプローブをターゲットサービング基地局に送信するための電気コンポーネント１３０８を含むことができる。論理グルーピング１３０２はまた、潜在的なリソースのセットに関連するダウンリンク干渉レベルを測定するための電気コンポーネント１３１０を随意に含むことができる。さらに、システム１３００は、電気コンポーネント１３０４、１３０６、１３０８、および１３１０に関連する機能を実行するための命令を保持するメモリ１３１２を含むことができる。メモリ１３１２の外部にあるものとして示されているが、電気コンポーネント１３０４、１３０６、１３０８、および１３１０の１つまたは複数は、メモリ１３１２の内部に存在することができることが理解されるべきである。
【手続補正３】
【補正対象書類名】特許請求の範囲
【補正対象項目名】請求項２４
【補正方法】変更
【補正の内容】
【請求項２４】
優勢な干渉物がモバイルデバイスの近傍内に存在するかどうかを識別することを少なくとも１つのコンピュータに行わせるためのコードと、
前記優勢な干渉物の存在に関係する情報を含むアクセスプローブを生成することを少なくとも１つのコンピュータに行わせるためのコードと、
アクセス手順を開始するために前記アクセスプローブをターゲットサービング基地局に送信することを少なくとも１つのコンピュータに行わせるためのコードと、
を備えるコンピュータプログラム。
【手続補正４】
【補正対象書類名】特許請求の範囲
【補正対象項目名】請求項２５
【補正方法】変更
【補正の内容】
【請求項２５】
前記優勢な干渉物の前記存在に関係する前記情報は、前記アクセスプローブのペイロード中に含まれる、明示的フラグ、観測された干渉レベルの明示的指示、またはチャネル品質インジケータ（ＣＱＩ）値、のうちの少なくとも１つを介して搬送される、請求項２４に記載のコンピュータプログラム。
【手続補正５】
【補正対象書類名】特許請求の範囲
【補正対象項目名】請求項２６
【補正方法】変更
【補正の内容】
【請求項２６】
潜在的なリソースのセットに関連するダウンリンク干渉レベルを測定することを少なくとも１つのコンピュータに行わせるためのコードと、
前記測定されたダウンリンク干渉レベルに基づいて前記セットから少なくとも１つのリソースを選択することを少なくとも１つのコンピュータに行わせるためのコードと、
前記モバイルデバイスがアクセス許可信号または後続のアクセス関係メッセージのうちの少なくとも１つを受信することを選好する前記選択された少なくとも１つのリソースを指定するインジケータを前記アクセスプローブに組み込むことを少なくとも１つのコンピュータに行わせるためのコードと、
をさらに備える、請求項２４に記載のコンピュータプログラム。
【手続補正６】
【補正対象書類名】特許請求の範囲
【補正対象項目名】請求項４７
【補正方法】変更
【補正の内容】
【請求項４７】
モバイルデバイスが優勢な干渉物の存在または不在のうちの一方を検出したかどうかを識別するために、前記モバイルデバイスから得られたアクセスプローブ中に含まれる情報を分析することを少なくとも１つのコンピュータに行わせるためのコードと、
前記モバイルデバイスが前記優勢な干渉物の存在または不在を検出したかどうかに少なくとも部分的に基づいて、時間周波数リソースを選択することを少なくとも１つのコンピュータに行わせるためのコードと、
前記選択された時間周波数リソースを利用してアクセス許可信号または後続のアクセス関係メッセージのうちの１つまたは複数を前記モバイルデバイスに送信することを少なくとも１つのコンピュータに行わせるためのコードと、
を備えるコンピュータプログラム。
【手続補正７】
【補正対象書類名】特許請求の範囲
【補正対象項目名】請求項４８
【補正方法】変更
【補正の内容】
【請求項４８】
前記情報は、明示的フラグ、観測された干渉レベルの明示的指示、またはチャネル品質インジケータ（ＣＱＩ）値、のうちの少なくとも１つを介して前記アクセスプローブの一部として搬送される、請求項４７に記載のコンピュータプログラム。
【手続補正８】
【補正対象書類名】特許請求の範囲
【補正対象項目名】請求項６９
【補正方法】変更
【補正の内容】
【請求項６９】
モバイルデバイスがアクセスプローブに応答してアクセス許可信号または後続のアクセス関係メッセージのうちの少なくとも１つを受信することを選好する潜在的なリソースのセットから、ダウンリンク干渉に関係する情報に応じて少なくとも１つのリソースを選択することを少なくとも１つのコンピュータに行わせるためのコードと、
前記選択された少なくとも１つのリソースを識別するインジケータを含む前記アクセスプローブを生成することを少なくとも１つのコンピュータに行わせるためのコードと、
前記アクセスプローブをターゲットサービング基地局に送信することを少なくとも１つのコンピュータに行わせるためのコードと、
を備えるコンピュータプログラム。
【手続補正９】
【補正対象書類名】特許請求の範囲
【補正対象項目名】請求項７０
【補正方法】変更
【補正の内容】
【請求項７０】
潜在的なリソースの前記セットに関連するダウンリンク干渉レベルを測定することを少なくとも１つのコンピュータに行わせるためのコードをさらに備える、請求項６９に記載のコンピュータプログラム。
【手続補正１０】
【補正対象書類名】特許請求の範囲
【補正対象項目名】請求項７１
【補正方法】変更
【補正の内容】
【請求項７１】
ダウンリンク干渉に関係する前記情報は、より低い電力の基地局のために予約されたリソースのサブセットに関係するブロードキャストされた情報を含む、請求項６９に記載のコンピュータプログラム。
【手続補正１１】
【補正対象書類名】特許請求の範囲
【補正対象項目名】請求項７２
【補正方法】変更
【補正の内容】
【請求項７２】
前記インジケータは、前記アクセスプローブ中で符号化された少なくとも１つのインターレース識別子（ＩＤ）を含み、前記少なくとも１つのインターレースＩＤは、前記アクセス許可信号または前記後続のアクセス関係メッセージのうちの前記少なくとも１つのために使用されることが選好される少なくとも１つのインターレースを識別する、請求項６９に記載のコンピュータプログラム。
【手続補正１２】
【補正対象書類名】特許請求の範囲
【補正対象項目名】請求項７３
【補正方法】変更
【補正の内容】
【請求項７３】
前記インジケータは、前記アクセス許可信号または前記後続のアクセス関係メッセージのうちの前記少なくとも１つのために利用されることが選好される少なくとも１つのサブフレームを含む、請求項６９に記載のコンピュータプログラム。
【手続補正１３】
【補正対象書類名】特許請求の範囲
【補正対象項目名】請求項７４
【補正方法】変更
【補正の内容】
【請求項７４】
前記アクセスプローブは、優勢な干渉物の存在に関係する情報をさらに含む、請求項６９に記載のコンピュータプログラム。
【国際調査報告】
2011527878.tif 000016
2011527878.tif 000017
2011527878.tif 000018
2011527878.tif 000019
2011527878.tif 000020